(57)【要約】電子透かしを用いた複製制御において、アプリケーションごとに制御仕様がことなり、同一の処理だと、制御仕様によっては余分な処理が含まれて効率が悪くなる場合があるという問題点がある。  複数種類のコピー制御の仕方を示すコピー制御情報を利用してコピー制御を行う記録装置であって、コピー制御情報を示す電子透かしを重畳したコンテンツからコピー制御情報のうちの所定の一部のコピー制御情報を検出する電子透かし検出手段１０３と、電子透かし検出手段の検出結果に応じてコンテンツを記録する記録手段１０４とを備える。
2004064062.tif 000002
【特許請求の範囲】
【請求項１】
複数種類のコピー制御の仕方を示すコピー制御情報を利用してコピー制御を行う記録装置であって、
前記コピー制御情報を示す電子透かしを重畳したコンテンツから前記コピー制御情報のうちの所定の一部のコピー制御情報を検出する電子透かし検出手段と、
前記電子透かし検出手段の検出結果に応じて前記コンテンツを記録する記録手段とを備えた、記録装置。
【請求項２】
ＳＤＭＩ制御方式に準拠したＳＤ装置であり、
前記コピー制御情報は、複製自由、一世代複製可、及び複製禁止の３種類あり、
前記所定の一部のコピー制御情報とは、複製禁止である、請求の範囲第１項記載の記録装置。
【請求項３】
ＣＰＰＭ制御方式またはＣＰＲＭ制御方式に準拠した記録装置であり、
前記コピー制御情報は、複製自由、一世代複製可、及び複製禁止の３種類あり、
前記所定の一部のコピー制御情報とは、複製禁止である、請求の範囲第１項記載の記録装置。
【請求項４】
前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、請求の範囲第２項記載の記録装置。
【請求項５】
前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、請求の範囲第３項記載の記録装置。
【請求項６】
前記記録手段は、前記コンテンツを暗号化して記録する、請求の範囲第２項記載の記録装置。
【請求項７】
前記コンテンツは、オーディオコンテンツである、請求の範囲第１項記載の記録装置。
【請求項８】
複数種類のコピー制御の仕方を示すコピー制御情報を利用してコピー制御を行う記録方法であって、
前記コピー制御情報を示す電子透かしを重畳したコンテンツから前記コピー制御情報のうちの所定の一部のコピー制御情報を検出する電子透かし検出ステップと、
前記電子透かし検出手段の検出結果に応じて前記コンテンツを記録する記録ステップとを備えた記録方法。
【請求項９】
請求の範囲第１項記載の記録装置の、前記コピー制御情報を示す電子透かしを重畳したコンテンツから前記コピー制御情報のうちの所定の一部のコピー制御情報を検出する電子透かし検出手段と、
前記電子透かし検出手段の検出結果に応じて前記コンテンツを記録する記録手段の一部としてコンピュータを機能させるためのプログラム。
【請求項１０】
請求の範囲第９項記載のプログラムを担持した記録媒体であって、コンピュータにより処理可能な記録媒体。
【発明の詳細な説明】
【技術分野】  本発明は、コンテンツに埋め込まれた電子透かしにしたがってコンテンツの記録制御、または再生制御を行う記録装置、再生装置、複合機、記録方法、再生方法、記録再生方法、プログラム、及び記録媒体に関するものである。
【背景技術】  近年ＡＶ機器のデジタル化が進むに伴い、コンテンツの品質を劣化させることなく複製することが可能になった。しかし、著作権のあるコンテンツを無制限に複製することは著作権保持者の権利を侵害する恐れがある。ＡＶ機器としても適切な著作権保護機能を持つことが要望されている。
デジタルオーディオ機器の複製制御としては、１９８０年代から、シリアルコピーマネジメントシステム（以下ＳＣＭＳと略称する）が広く使用されている。ＳＣＭＳは、ＣＤ、ＭＤや放送電波などのメディアにコンテンツとともに複製制御情報を記録しておき、同一筐体内、あるいは、異なる機器間をデジタルインターフェイスを介して接続してコンテンツを複製する場合に、被複製コンテンツの複製制御情報に従って複製の可否制御を行うものである。ＳＣＭＳはＭＤなどの民生用録音機器では一定の効果を上げている。
しかし、ＳＣＭＳでは複製制御情報をコンテンツと独立したデジタルデータとして持つ。このため、アナログ伝送の場合には複製制御情報が伝送できず、複製制御もできない。また、パーソナルコンピュータなどを用いると容易に複製制御情報を無効化できる。
このようなＳＣＭＳの問題点を踏まえて、ＤＶＤやＳＤ（Ｓｅｃｕｒｅ  Ｄｉｇｉｔａｌ）メモリカード用オーディオ規格（以下ＳＤオーディオと省略する）の著作権保護システムであるＣｏｎｔｅｎｔ  Ｐｒｏｔｅｃｔｉｏｎ  ｆｏｒ  Ｐｒｅｒｅｃｏｒｄｅｄ  Ｍｅｄｉａ規格、及びＣｏｎｔｅｎｔ  Ｐｒｏｔｅｃｔｉｏｎ  ｆｏｒ  Ｒｅｃｏｒｄａｂｌｅ  Ｍｅｄｉａ規格（以下ＣＰＰＭ、ＣＰＲＭと省略する）では、電子透かしを利用した複製制御方式が採用されている。また、音楽業界、コンピュータ業界、民生エレクトロニクス業界などが参加して決めたＳＤＭＩ（Ｓｅｃｕｒｅ  Ｄｉｇｉｔａｌ  Ｍｕｓｉｃ  Ｉｎｉｔｉａｔｉｖｅ）規格でも電子透かしを用いた複製制御・再生制御方式が提案されている。
電子透かしは、これを埋めこんだ信号を再生した場合でも、通常の視聴では原信号との違いが認識できず、コンテンツの品質を損なわない。電子透かしはコンテンツに直接埋め込まれるため、アナログ伝送でも複製制御情報が伝送できる。また、通常のオーディオ圧縮・伸張（ＭＰ３など）を経ても複製制御情報が保持されるという耐久力もある。さらに、特別な埋め込みと特別な解読装置とを用いないと読み書きできず、コンテンツ自体の暗号化と組み合わせることによりＳＣＭＳよりも強力な複製制御を実現できる。
ＣＰＰＭ、ＣＰＲＭ、ＳＤＭＩで用いられている電子透かし技術は、リニアＰＣＭ形式のデジタルオーディオデータに１２ビットの情報を電子透かしとして埋め込むことができる。このうち複製制御に用いられるのは２ビットで、「複製自由」、「一世代複製可」および「複製禁止」の３つの状態を示す。２ビットであるから４状態を示すことができるが、残りの１つは使用禁止となっている。
電子透かしは所定時間長（ＳＤＭＩ、ＣＰＲＭ、ＣＰＰＭの場合は１５秒）のリニアＰＣＭ形式のデジタルオーディオデータを所定の信号処理することで検出される。コンテンツがＭＰ３などに圧縮されている場合には、リニアＰＣＭにデコードした後、電子透かし検出を行う。アナログ信号もＡＤコンバータでリニアＰＣＭに変換すれば、電子透かしを検出できる。
電子透かし検出結果は、まず、電子透かしが検出された／されないの２つがある。さらに電子透かしが検出された場合には、「複製自由」、「一世代複製可」および「複製禁止」の３状態が識別される。
従来の電子透かしを利用した再生制御としては、たとえば、特開２００１−２２９６１２号公報  デジタルデータのコピー制御方法及び光ディスク再生装置（第７−１３頁、図６，１２）記載の光ディスク再生装置がある。以下第１の従来技術として、この光ディスク再生装置について説明する。なお、この光ディスク再生装置は、ＣＰＰＭ制御方式に準拠した装置である。
なお、特開２００１−２２９６１２号公報の文献の全ての開示は、そっくりそのまま引用する（参照する）ことにより、ここに一体化する。
以下の再生制御の説明では、電子透かしを用いてコンテンツに埋め込まれている複製制御情報をウォータマークＣＣＩと呼ぶ。これに対して、光ディスクにコンテンツと独立したデジタルデータとして記録されている複製制御情報をデジタルＣＣＩと呼ぶ。光ディスクでは、デジタルＣＣＩ、ウォータマークＣＣＩは、図７に示す再生制御が要求されている。
図７において、暗号化されたコンテンツにはデジタルＣＣＩが付加されており、そのデジタルＣＣＩの値に応じてプレーヤは次のように再生制御を行う。コピーフリーのコンテンツ、すなわちデジタルＣＣＩが００のコンテンツは暗号記録が禁止されている。従って、暗号化されていながらデジタルＣＣＩが００のコンテンツは不正なコンテンツとみなされ、再生が制限される。また、デジタルＣＣＩが１０すなわち制限付きコピー（一世代のみ複製可）の場合は、プレーヤは通常再生を行う。また、デジタルＣＣＩが１１すなわちコピー禁止の場合も、プレーヤは通常再生を行う。
一方、コンテンツが暗号化されていない場合には、ウォーターマークＣＣＩの値に応じてプレーヤは次のように再生制御を行う。まず、ウォーターマークＣＣＩが００すなわちコピーフリーの場合は、プレーヤは通常再生を行う。また、ウォーターマークＣＣＩが１０すなわち制限付きコピー（一世代のみ複製可）の場合は、プレーヤは再生を制限する。また、ウォーターマークＣＣＩが１１すなわちコピー禁止の場合も、プレーヤは再生を制限する。
図８は、従来の複製制御方法を使用した光ディスクプレーヤのブロック図である。光ディスクプレーヤ１７４は、スピンドルモータ１６１と、光ピックアップ１６２と、機構制御部１６３と、信号処理部１６４と、暗号復号装置１６５と、デジタルＣＣＩ復号装置１６６と、ＡＶ復号装置１６７と、ウォータマークＣＣＩ復号装置１６９と、ＤＡコンバータ１６８と、デジタル信号出力制御部１７０と、アナログ信号出力制御部１７１と、表示部１７２と、システム制御部１７３とにより構成されている。
スピンドルモータ１６１は、ディスク１６０を回転させる手段である。光ピックアップ１６２は、ディスク１６０に記録された信号を読み取る手段である。機構制御部１６３は、スピンドルモータ１６１と光ピックアップ１６２を駆動し制御する手段である。信号処理部１６４は、光ピックアップ１６２の出力からデータ取り出しや誤り訂正を行ってシステムストリームを抽出し、機構制御部１６３に制御信号を与える手段である。また、信号処理部１６４は、システムストリームを解析し、再生単位のスタート、終端、ディスク全体再生の終端などの再生形態情報も抽出し、システム制御部１７３へ送る手段である。暗号復号装置１６５は、前記システムストリームが暗号化されているかどうか検査し、暗号化されている場合には暗号を復号する手段である。また、暗号復号装置１６５は、システムストリームが暗号化されているか否かを示す暗号化状態情報を、システム制御部１７３へ送る手段である。デジタルＣＣＩ復号装置１６６は、暗号復号装置１６５が出力する暗号化されていないシステムストリームから、デジタルＣＣＩを検出する手段である。ＡＶ復号装置１６７は、暗号復号装置１６５が出力する暗号化されていないシステムストリームからデジタルオーディオ信号あるいはデジタルビデオ信号を抽出してデコードする手段である。ウォータマークＣＣＩ復号装置１６９は、ＡＶ復号装置１６７出力のデジタルオーディオ信号あるいはデジタルビデオ信号からウォータマークＣＣＩデータを検出する手段である。ＤＡコンバータ１６８は、前記デジタルオーディオ信号あるいはデジタルビデオ信号をアナログオーディオ信号あるいはアナログビデオ信号に変換する手段である。デジタル信号出力制御部１７０は、前記デジタルオーディオ信号あるいはデジタルビデオ信号を規定の出力フォーマット（例えば、ＩＥＣ６０９５８，ＩＥＥＥ１３９４など）に変換して出力制御を行う手段である。アナログ信号出力制御部１７１は、ＤＡコンバータ１６８が出力するアナログオーディオ信号あるいはアナログビデオ信号の出力制御を行う手段である。表示部１７２は、動作状態を表示する手段である。システム制御部１７３は、前記ウォータマークＣＣＩデータと前記デジタルＣＣＩデータと、信号処理部１６４から得られる再生状態情報と、暗号復号装置１６５から得られるシステムストリームの暗号化状態情報とを読み込んでデジタル信号出力制御部１７０とアナログ信号出力制御部１７１を制御し、かつ表示部１７２、機構制御部１６３も制御する手段である。
以上のように構成された光ディスクプレーヤ１７４のデジタル再生動作について説明する。なお、以下に説明するデジタル再生動作は、ディスク１６０にＤＶＤオーディオが記録されており、ディスク１６０に記録されたＤＶＤオーディオが再生される場合の動作である。
ディスク１６０に記録された信号を光ピックアップ１６２で読み取る。信号処理部１６４は、機構制御部１６３に制御信号を与えながら、データ取り出しと誤り訂正を行ってシステムストリームを抽出する。暗号復号装置１６５は、前記システムストリームが暗号化されているかどうか検査し、暗号化されている場合には暗号を復号して、暗号化されていないシステムストリームをデジタルＣＣＩ復号装置１６６とＡＶ復号装置１６７に転送する。
ＡＶ復号装置１６７は前記システムストリームからデジタルオーディオ信号あるいはデジタルビデオ信号を抽出してデコードし、ウォータマークＣＣＩ復号装置１６９とデジタル信号出力制御部１７０に転送する。なお、ＤＶＤオーディオには、ＤＶＤオーディオに付属して静止画などのビデオデータを持たせることが出来るので、ＡＶ復号装置１６７などは、デジタルオーディオ信号またはデジタルビデオ信号を処理する。
デジタル信号出力制御部１７０は、前記デジタルオーディオ信号あるいはデジタルビデオ信号を規定の出力フォーマット（例えば、ＩＥＣ６０９５８，ＩＥＥＥ１３９４など）に変換して出力する。
デジタルＣＣＩ復号装置１６６は、前記システムストリームからデジタルＣＣＩデータをデコードしてシステム制御部１７３に転送する。ウォータマークＣＣＩ復号装置１６９は、前記デジタルオーディオ信号からウォータマークＣＣＩデータを検出してシステム制御部１７３に転送する。
システム制御部１７３は、前記デジタルＣＣＩデータとウォータマークＣＣＩデータを読み込み、そのデータに従ってデジタル信号出力制御部１７０と機構制御部１６３を制御する。また、動作表示情報を表示部１７２に転送する。
以上のように構成された従来の光ディスクにおいて、システム制御部１７３で行われる再生時の複製制御フローの一例について、図９を用いて説明する。
まず、システム制御部１７３は、暗号復号装置１６５から得られる、システムストリームの暗号化の有無を検査する（ステップ１）。暗号化されている場合は、システム制御部１７３は、デジタルＣＣＩデータの有無を検査する（ステップ２）。デジタルＣＣＩデータがある場合には、システム制御部１７３は、前記デジタルＣＣＩデータが「複製自由（Ｆｒｅｅｌｙ）」でないかどうかを検査する（ステップ３）。図７に示したとおり、暗号化されたオーディオあるいはビデオデジタルデータのデジタルＣＣＩは「一世代複製可」あるいは「複製禁止」だけが許されており、「複製自由」は許されていない。従って、デジタルＣＣＩデータが「複製自由」である場合は、違法な複製ディスクと判断される。その結果、システム制御部１７３は、デジタル信号出力制御部１７０とアナログ信号出力制御部１７１の両方を制御してデジタル信号出力とアナログ信号出力を共にミュートする（ステップ４）。
一方、ステップ３でデジタルＣＣＩデータが「複製自由」でないと判断された場合は、システム制御部１７３は、通常再生を行う（ステップ８）。
また、ステップ１でシステムストリームが暗号化されていないと判断された場合と、暗号化されていてもステップ２でデジタルＣＣＩデータがないと判断された場合には、システム制御部１７３は、ウォータマークＣＣＩ復号装置１６９から得られるウォータマークＣＣＩの有無を読み出す（ステップ９）。次に、ウォータマークＣＣＩデータがある場合には、システム制御部１７３は、ウォータマークＣＣＩデータが「複製自由（Ｆｒｅｅｌｙ）」であるかどうかを検査する（ステップ１０）。図７に示したとおり、ウォータマークＣＣＩデータが「複製自由」の場合だけが通常再生可能であり（ステップ１２）、その他の「一世代複製可」および「複製禁止」の場合は、違法な複製ディスクと判断される。その結果、システム制御部１７３は、デジタル信号出力制御部１７０とアナログ信号出力制御部１７１の両方を制御してデジタル信号出力とアナログ信号出力を共にミュートする（ステップ１１）。
そして、システム制御部１７３は、再生単位（音楽１曲など）の終端を判断し（ステップ５）、終端でなければステップ１に戻り、終端であれば、ディスク全体再生の終端であるかを判断する（ステップ６）。システム制御部１７３は、ディスク全体再生の終端でない場合は、デジタル信号出力制御部１７０とアナログ信号出力制御部１７１とを通常出力状態に再設定してステップ１に戻る。一方、ディスク全体再生の終端である場合は、システム制御部１７３は、再生を終了する。
以上のように、第１の従来技術によって光ディスク再生時に著作権保護がなされている。
次に、第２の従来技術として、ＳＥＣＵＲＥ  ＤＩＧＩＴＡＬ  ＭＵＳＩＣ  ＩＮＩＴＩＡＴＩＶＥ発行「Ａｍｅｎｄｍｅｎｔ  ３  ｔｏ  ＳＤＭＩ  Ｐｏｒｔａｂｌｅ  Ｄｅｖｉｃｅ  Ｓｐｅｃｉｆｉｃａｔｉｏｎ，Ｐａｒｔ  Ｉ，Ｖｅｒｓｉｏｎ  １．０」２００１年６月５日改訂版に記載のＳＤＭＩ方式の電子透かしを利用した記録制御について説明する。メモリースティック（登録商標）のオーディオ記録やＳＤオーディオは、このＳＤＭＩ制御方式に準拠している。
なお、ＳＥＣＵＲＥ  ＤＩＧＩＴＡＬ  ＭＵＳＩＣ  ＩＮＩＴＩＡＴＩＶＥ発行「Ａｍｅｎｄｍｅｎｔ  ３  ｔｏ  ＳＤＭＩ  Ｐｏｒｔａｂｌｅ  Ｄｅｖｉｃｅ  Ｓｐｅｃｉｆｉｃａｔｉｏｎ，Ｐａｒｔ  Ｉ，Ｖｅｒｓｉｏｎ  １．０」２００１年６月５日改訂版の文献の全ての開示は、そっくりそのまま引用する（参照する）ことにより、ここに一体化する。
ＳＤオーディオの記録は、記録対象がＳＤＭＩ保護コンテンツと非ＳＤＭＩ保護コンテンツの２つに大別される。ＳＤＭＩ保護コンテンツは、ＳＤＭＩ規格で認められた暗号などにより複製制御情報も含めて保護されている。したがってＳＤＭＩ保護コンテンツをＳＤオーディオ記録する場合には暗号化された複製制御情報にしたがう。一方、ＳＤＭＩ保護コンテンツ以外のコンテンツである非ＳＤＭＩ保護コンテンツの場合には、コンテンツに付属する複製制御情報があったとしても、改竄されている可能性もあるので、コンテンツに埋め込まれた電子透かしに含まれる複製制御情報を調べる必要がある。
また、ＳＤオーディオは、記録するコンテンツを圧縮暗号化し、ＳＤＭＩ保護コンテンツとする。さらに、ＳＤオーディオ機器の機器固有識別番号やメディア固有識別番号と関連づけてＳＤＭＩ保護コンテンツとしての複製数を制限している。さらに、ＳＤオーディオ機器から、前述の制限が及ばない一般のデジタルメディア（たとえば、ＭＤ、ＣＤ−Ｒなど）へのデジタル複製（孫複製）はできないよう、デジタル出力は基本的に禁止されている。すなわち、ＳＤＭＩ保護コンテンツはＳＤオーディオ機器の範囲外では、複製禁止扱いとなる。したがって、ＳＤオーディオ記録する場合には、入力コンテンツの複製制御情報が複製禁止であるかどうかだけを判別すればよく、一世代複製可、複製自由の区別をする必要はない。
このようなＳＤＭＩ制御方式について以下にさらに詳細に説明する。
ＳＤＭＩ制御方式とは、メモリースティックやＳＤメモリカードなどにオーディオを記録したり再生したりする際の制御方式である。
図１０に、ＳＤＭＩ制御方式の概要を示す。ＳＤＭＩ制御方式に準拠するＳＤオーディオ機器は、入力される信号を、配信入力、保護入力、非保護入力、及び非暗号コンテンツ入力の４種類に分けて、それぞれ異なった入力処理を行う。
まず、配信入力とは、インターネットなどを経由して配信されてくるコンテンツを入力するものである。ただし、配信入力により入力されたコンテンツの処理は、ＳＤＭＩ制御方式の範囲外の処理である。配信入力されるコンテンツは、通常プロバイダ毎に異なった暗号化の仕組みを用いて暗号化されて配信される。例えば、コンテンツが３回まで複製可能であるなどをもこの暗号化の仕組みで設定することが出来る。また、課金処理などを行うことも可能になっている。従って、配信入力されるコンテンツが入力された際、コンテンツの入力処理をする際、プロバイダに対応した暗号化パッケージを用いてコンテンツの入力処理を行うとともに、コンテンツの購入処理をも行う。そして、配信入力されたコンテンツは、プロバイダからコンテンツとともに暗号化されて送られてきたユーセージルールをコンテンツに適用するユーセージルール優先で、すなわちプロバイダ毎に定められた暗号化の仕組みの中で設定された規則に従って、ＨＤＤやＳＤカードに記録される。
また、保護入力とは、ＩＥＥＥ１３９４−ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式で伝送されてくるコンテンツを入力するものである。
ここで、ＩＥＥＥ１３９４は、シリアル伝送を行う高速バスシステムで、データを同期伝送できるため、映像音声データなどのリアルタイム伝送が可能である。このようなＩＥＥＥ１３９４は、家庭用デジタル映像音声機器を始め、多くのデジタル映像音声機器に外部用インターフェースとして搭載されている。ＩＥＥＥ１３９４−ＤＴＣＰ方式によれば、ＩＥＥＥ１３９４バスでデータ伝送する際に、認証機能と鍵の無効化機能を備えており、映像音声データなどの著作権保護が必要なデータを暗号化して伝送することにより著作権の保護を実現することが出来る。このように、ＩＥＥＥ１３９４−ＤＴＣＰ方式は、コンテンツを伝送する際、コンテンツを著作権保護する必要がある場合、そのコンテンツを暗号化して伝送するので、コンテンツの著作権を保護することが出来る。
保護入力で入力されたコンテンツは、ＩＥＥＥ１３９４−ＤＴＣＰ方式で伝送されるので、コンテンツの著作権保護に関する情報を改竄することは困難である。すなわち、コンテンツの著作権保護に関する情報は信頼出来るので、コンテンツを入力する際には、デジタルＣＣＩ（ｄｉｇｉｔａｌ  ｃｏｐｙ  ｃｏｎｔｏｒｏｌ  ｉｎｆｏｒｍａｔｉｏｎ）で制御される。
すなわち、保護入力により入力されたコンテンツは、そのデジタルＣＣＩが検出され、検出されたデジタルＣＣＩに従って、メディアに記録するか否かが決定される。
具体的には、ＳＤＭＩ制御方式に準拠するＳＤオーディオ機器は、保護入力により入力されたコンテンツのデジタルＣＣＩが「複製禁止」の場合には、そのコンテンツをメディアに記録しない。一方、このＳＤオーディオ機器は、入力されたコンテンツのデジタルＣＣＩが「複製自由」または「一世代複製可」の場合には、そのコンテンツを暗号化してメディアに記録するとともに、図１０にＤＣＣＩ（デジタルＣＣＩ）の更新と記載しているように、そのコンテンツのデジタルＣＣＩを「複製禁止」に更新してＣＰＲＭ暗号記録する。なお、ＣＰＰＭ暗号記録とは、ＣＰＰＭに規定されている暗号化の規則に基づいて暗号記録することを意味している。
入力されたコンテンツのデジタルＣＣＩが「複製自由」の場合であっても、ＳＤＭＩ制御方式に準拠するＳＤオーディオ機器がそのデジタルＣＣＩを「複製禁止」に更新して記録する理由は、ＳＤＭＩ制御方式に準拠するＳＤオーディオ機器はデジタル出力が禁止されており、デジタル出力端子が設けられていないからである。
このようにして記録されたコンテンツはＳＤＭＩ保護コンテンツとして処理される。
また、非保護入力とは、ＳＤＭＩ制御方式に準拠したＳＤオーディオ機器がＣＤなどに記録されたコンテンツを光ケーブルを用いて伝送する規格であるＩＥＣ９５８を用いて入力したり、アナログ信号で入力するものである。非保護入力の場合、デジタルＣＣＩは改竄されている可能性があるので、ウォーターマークＣＣＩを検出して記録の可否が判定される。すなわち、コンテンツが非保護入力により入力されると、ＳＤＭＩ制御方式に準拠するＳＤオーディオ機器は、まず、図１０にＷＭ（ウォーターマーク）の検出と記載されているように、ウォーターマークＣＣＩの検出を行う。そして、検出されたウォーターマークＣＣＩが「複製禁止」の場合は、非保護入力経由で入力されたコンテンツを記録しない。また、検出されたウォーターマークＣＣＩが「複製自由」または「一世代複製可」の場合には、そのコンテンツをＣＰＲＭ暗号化してメディアに記録し、記録されたコンテンツのデジタルＣＣＩを「複製禁止」に設定する。このようにしてメディアに記録されたコンテンツは、メディアから再生する際にはＳＤＭＩ保護コンテンツとして扱われる。このように保護入力されたコンテンツや非保護入力されたコンテンツは、ＣＤなどの非保護入力やユーセージルールを持たない配信コンテンツに対して予め決められた規則を適用するディフォルトユーセージルールに従って、すなわち、チェックアウトの回数が３回以下であるなどの予め決められた規則に従って、ＨＤＤやＳＤカードに記録される。
また、上述したＳＤＭＩ保護コンテンツとは、暗号などにより保護された形式で伝送されてきて、デジタルＣＣＩにより記録可否を判定され、ＣＰＲＭ暗号記録されたコンテンツ、または伝送されるいずれかの段階でウォーターマークＣＣＩによって複製可否が判定され、このウォーターマークＣＣＩによるスクリーニングを通過し、ＣＰＲＭ暗号記録されたコンテンツを言う。
また、非暗号コンテンツ入力とは、平文のＭＰ３（ＭＰＥＧ  Ａｕｄｉｏ  Ｌａｙｅｒ  ＩＩＩ）などのようにコンテンツが暗号化されずに入力されることであり、このようなコンテンツは、メディアの非セキュア領域に記録される。ただし、非暗号コンテンツ入力は、ＳＤＭＩ制御方式の範囲外である。非暗号コンテンツ入力は、例えばＰＣ（パーソナルコンピュータ）を用いて行うことが出来る。すなわち、ＰＣは、平文のＭＰ３などのコンテンツを入力し、ＳＤメモリカードの非セキュア領域に記録することが出来る。このようにして記録されたコンテンツは、ウォーターマークＣＣＩによる複製可否の判断がおこなわれていないので、ＳＤＭＩ非保護コンテンツと呼ぶ。ＳＤＭＩ非保護コンテンツは、ＳＤオーディオ機器から出力する際にはＳＤＭＩ制御方式に従って、ウォーターマークＣＣＩの検出により再生制御が行われる。なお、これについては後述する。
次に、ＳＤＭＩ制御方式の出力処理について説明する。
ＳＤＭＩ制御方式の出力処理としては、ＳＤメモリカードへの出力処理、及びアナログ出力処理がある。通常、ＳＤＭＩ制御方式の出力処理としてデジタル出力処理は禁止されている。
ＳＤメモリカードへの出力処理は、チェックイン・アウトにより管理される。チェックイン・アウトとは、例えばＰＣのハードディスクに記録されたＳＤＭＩ保護コンテンツをＳＤメモリカードに記録させる際に、一つのＳＤＭＩ保護コンテンツを何回ＳＤメモリカードにチェックアウト（記録）したかを管理する処理である。例えばＳＤＭＩ保護コンテンツが３回までＳＤメモリカードにチェックアウトすることが許可されている場合、３個のＳＤメモリカードにＳＤＭＩ保護コンテンツをチェックアウトした後には、これ以上他のＳＤメモリカードにＳＤＭＩ保護コンテンツをチェックアウトすることが出来ない。ところが、このＳＤＭＩ保護コンテンツをチェックアウトしたＳＤメモリカードをＰＣに挿入し、このＳＤＭＩ保護コンテンツをＰＣにより挿入したＳＤメモリカードからＰＣへチェックインした場合には、もう一つのＳＤメモリカードにこのＳＤＭＩ保護コンテンツをチェックアウトすることが出来るようになる。ＳＤメモリカードからＰＣへチェックインした場合、当該ＳＤＭＩ保護コンテンツはそのＳＤメモリカードから消去される。このように、チェックイン・アウトにより、ＳＤＭＩ保護コンテンツをいくつのＳＤメモリカードに出力できるかを管理することが出来る。
また、アナログ出力処理は、イヤホンやスピーカなどにアナログ出力する処理である。アナログ出力処理で出力されるコンテンツは、通常１．５倍速以下の速度で出力される。
ＳＤＭＩ保護コンテンツの場合、ＳＤＭＩ制御方式に準拠したＳＤオーディオ機器は、デジタルＣＣＩやウォーターマークＣＣＩの値にかかわらず、アナログ出力出来る。すなわち、ＳＤＭＩ保護コンテンツは記録される際にデジタルＣＣＩやウォーターマークＣＣＩ等のコピー制御情報に従って記録されているので、再生する際に再度コピー制御情報によって再生制御する必要がないからである。これに対して、ＳＤメモリカードの非セキュア領域に記録された非暗号コンテンツすなわちＳＤＭＩ非保護コンテンツは、記録する際に、ウォーターマークＣＣＩやデジタルＣＣＩに応じて記録されたものではないので、再生する際には、ウォーターマークＣＣＩを検出し、検出したウォーターマークＣＣＩによって再生制御される。ウォーターマークＣＣＩによって再生制御するのは、デジタルＣＣＩが改竄されている可能性があるからである。
また、ＳＤＭＩ制御方式に準拠したＳＤオーディオ機器は、ＳＤＭＩ保護コンテンツやＳＤＭＩ非保護コンテンツを再生する際、上述したようにデジタル出力することが出来ないよう、デジタル出力端子が設けられていない。例えば、ＳＤＭＩ制御方式に準拠したＳＤオーディオ機器は、ＩＥＣ９５８などでデジタル出力することは出来ない。
以下の説明では、例として、ＳＤオーディオにおけるＳＥＣＵＲＥ  ＤＩＧＩＴＡＬ  ＭＵＳＩＣ  ＩＮＩＴＩＡＴＩＶＥ発行「Ａｍｅｎｄｍｅｎｔ  ３  ｔｏ  ＳＤＭＩ  Ｐｏｒｔａｂｌｅ  Ｄｅｖｉｃｅ  Ｓｐｅｃｉｆｉｃａｔｉｏｎ，Ｐａｒｔ  Ｉ，Ｖｅｒｓｉｏｎ  １．０」２００１年６月５日改訂版記載の記録制御方式について説明する。すなわち、非保護入力経由のコンテンツをＳＤオーディオ記録する場合について説明する。以下の説明は、図１０に非保護入力と記載しているように、図１０において、非保護入力により入力された非ＳＤＭＩ保護コンテンツがＳＤメモリカードに記録される場合の動作に対応する。
図１１は、第２の従来技術における電子透かしの検出タイミングを示す図である。電子透かしを検出するためには、１５秒のオーディオ信号を処理しなければならない。これを電子透かし検出窓と呼ぶことにする。
図１２は、第２の従来技術における電子透かしを利用した記録装置のブロック図である。記録装置は、コンテンツ入力端子８０１、電子透かし検出手段８０２、及び記録手段８０３から構成される。電子透かし検出手段８０２は、コンテンツから電子透かしを検出する手段である。記録手段８０３は、コンテンツを記録する手段である。
記録手段８０３は、コンテンツを圧縮し、暗号記録する。また、電子透かし検出手段８０２から複製禁止を示す制御信号が送信されてきた場合、当該コンテンツを、それまでに記録した部分も含めて消去する。
図１３は、図１２の電子透かし検出手段８０２において、コンテンツの電子透かしに基づいて制御信号を送信するための手順を示すフローチャートである。以下、図１３にしたがって説明する。
まず、コンテンツ開始指示が受信されると、開始から１５秒以内に１回目に電子透かしを検出するために、電子透かし検出手段８０２により第１の電子透かし検出窓が開始され、開始から３０秒以内で１回目の電子透かし検出が完了する（ステップ１）。第１の電子透かし検出の開始位置は、コンテンツ開始と同時でもよいし、コンテンツ開始から１５秒以内の適当な時点から開始してもよい。ＳＤオーディオの記録では、入力コンテンツは圧縮され、さらに暗号化されて記録される。図１２には示されていないが、この圧縮暗号化処理は図１２の記録手段８０３において電子透かし検出処理と同時に行われている。
第１の電子透かし検出窓が終了すると、電子透かし検出手段８０２は、電子透かしが発見されたかどうか、すなわち、電子透かし検出フラグが“１”であるかどうか確認する（ステップ２）。
もし、（ステップ２）で電子透かし検出フラグが１である場合には、電子透かし検出手段８０２は、発見された電子透かしが複製禁止を示しているかどうか、すなわち電子透かしが“１１”であるかどうか確認する（ステップ３）。
もし、（ステップ３）で電子透かしが“１１”でなければ、そのコンテンツは複製してよい。したがって、この時点で電子透かし検出手段８０２は電子透かし検出を終了し、複製許可の制御信号を記録手段８０３へ送信する。（ステップ８）。記録手段８０３は、コンテンツの圧縮暗号化はそのまま継続する。
一方、もし、（ステップ３）で、電子透かしが複製禁止を示していれば、そのコンテンツは複製禁止であるから、電子透かし検出手段８０２は、複製禁止の制御信号を記録手段８０３へ送信する（ステップ９）。記録手段８０３は、圧縮、暗号化を停止し、それまでに圧縮暗号化したコンテンツを削除する。また、たとえば、記録装置がＣＤプレーヤと同一筐体内でＳＤオーディオ記録をしている場合には、ＣＤの再生を次のコンテンツに移すとか、再生停止するとかいうよう制御してもよい。また、外部からコンテンツが入力されている場合には、コンテンツの入力を停止することはできないので、そのまま待ち状態に入ってもよい。
一方、もし、（ステップ２）で電子透かしが検出されなかった場合には、４５秒以降の任意の位置まで待つ（ステップ４）。そして、２回目の電子透かし検出である第２の電子透かし検出を行う（ステップ５）。
２回目の電子透かし検出を行うのは、次の理由による。すなわち、１回目の電子透かし検出は、オーディオ信号の先頭に近い部分で行われる。このようにオーディオ信号の先頭に近い部分では、まだ曲の演奏が開始されたばかりであるので、オーディオ信号のレベルが低い場合も多い。このようにオーディオ信号のレベルが低いと電子透かしの検出も困難になる。すなわち、オーディオ信号のレベルが低い場合には、１回目の電子透かし検出に失敗する場合も多い。従って、１回目の電子透かし検出からある程度の時間をおいて２回目の電子透かし検出を行うことにより、１回目の電子透かし検出に失敗しても、２回目の電子透かし検出で、オーディオ信号のレベルが高くなっている可能性が大きい。このような場合には、より確実に電子透かしを検出することが出来るようになる。つまり、１回目の電子透かし検出で電子透かしが検出された場合は、その検出値を有効とする。１回目の電子透かし検出で電子透かしが未検出の場合には、実際に電子透かしが埋め込まれていない場合と、電子透かしの検出に失敗した場合とがあり得る。従って、電子透かしの検出に失敗する危険性を少なくするために、ある程度の間を空けて２回目の電子透かしの検出を実施している。
第２の電子透かし検出窓が終了すると、電子透かし検出手段８０２は、電子透かしが発見されたかどうか、すなわち、電子透かし検出フラグが“１”であるかどうか確認する（ステップ６）。
もし、（ステップ６）で電子透かし検出フラグが１である場合には、電子透かし検出手段８０２は、発見された電子透かしが複製禁止を示しているかどうか、すなわち電子透かしが“１１”であるかどうか確認する（ステップ７）。
もし、（ステップ７）で電子透かしが“１１”でなければ、そのコンテンツは複製してよい。したがって、電子透かし検出手段８０２は、複製許可の制御信号を記録手段８０３へ送信する（ステップ８）。
一方、もし、（ステップ７）で、電子透かしが複製禁止を示していれば、そのコンテンツは複製禁止であるから、電子透かし検出手段８０２は、複製禁止の制御信号を記録手段８０３へ送信する（ステップ９）。
一方、もし、（ステップ６）で電子透かしが検出されなかった場合には、そのコンテンツには電子透かしが埋め込まれておらず、複製してよいものと考える。したがって、電子透かし検出手段８０２は、複製許可の制御信号を記録手段８０３へ送信する（ステップ８）。記録手段８０３はコンテンツの最後まで圧縮、暗号化を継続する。
以上のように、ＳＤオーディオにおいてはＳＥＣＵＲＥ  ＤＩＧＩＴＡＬ  ＭＵＳＩＣ  ＩＮＩＴＩＡＴＩＶＥ発行「Ａｍｅｎｄｍｅｎｔ  ３  ｔｏ  ＳＤＭＩ  Ｐｏｒｔａｂｌｅ  Ｄｅｖｉｃｅ  Ｓｐｅｃｉｆｉｃａｔｉｏｎ，Ｐａｒｔ  Ｉ，Ｖｅｒｓｉｏｎ  １．０」２００１年６月５日改訂版記載の記録制御方式によって、著作権保護がなされている。
しかしながら、上記従来の構成では、第１の従来の技術で説明した光ディスクの再生制御も第２の従来の技術で説明したＳＤオーディオの記録制御も同様の電子透かし検出を行う。すなわち、第１の従来の技術で説明した光ディスクの再生制御では、電子透かしの全ての状態を検出しなければならないが、第２の従来の技術で説明したＳＤオーディオの記録制御では、電子透かしの全ての状態を検出する必要はない。それにもかかわらず、第２の従来の技術で説明したＳＤオーディオの記録制御では、電子透かしの全ての状態を検出していた。このように、制御仕様によっては余分な処理が含まれて効率が悪くなる場合があるという問題点がある。
すなわち、従来のＳＤオーディオの記録制御では、ＳＤＭＩ保護コンテンツはＳＤオーディオ機器の範囲外では、複製禁止扱いとなる。従ってＳＤオーディオ記録する場合には、入力コンテンツの複製制御情報が複製禁止であるかどうかだけを判別すればよいが、それにも関わらず、入力コンテンツの複製制御情報が複製禁止、一世代のみ複製可、複製自由の全ての複製制御の仕方を検出していた。従って、ＳＤオーディオの記録制御では余分な処理が含まれて効率が悪くなる。また、このような問題は、ＳＤオーディオ以外の記録制御でも起こりうる。例えば、ＣＰＰＭ制御方式やＣＰＲＭ制御方式に準拠して、オーディオを記録する場合にも同様の問題が生じる。
同様のことはＳＤオーディオの再生制御の場合にも言える。すなわち、非ＳＤＭＩ保護コンテンツを再生する場合には、複製制御情報が複製禁止の場合には再生しないようにし、複製制御情報が一世代のみ複製可、複製自由の場合には、再生を実施するように制御する。すなわち、入力コンテンツの複製制御情報が複製禁止かどうかだけを判別し、複製禁止の場合には、再生を停止し、複製禁止でない場合には再生を実施するように制御すればよい。しかしながら、それにも関わらず、複製制御情報が複製禁止、一世代のみ複製可、複製自由の全ての複製制御の仕方を検出していた。
つまり、従来の記録制御または再生制御では、複製制御情報の全ての制御の仕方を検出していたので、余分な処理が含まれて効率が悪くなるという課題がある。
【発明の開示】
本発明は、上記従来の課題を考慮し、効率のよい電子透かしの検出を行うことが出来る記録装置、再生装置、複合機、記録方法、再生方法、記録再生方法、プログラム、及び記録媒体を提供することを目的とする。
上述した課題を解決するために、第１の本発明は、複数種類のコピー制御の仕方を示すコピー制御情報を利用してコピー制御を行う記録装置であって、
前記コピー制御情報を示す電子透かしを重畳したコンテンツから前記コピー制御情報のうちの所定の一部のコピー制御情報を検出する電子透かし検出手段と、
前記電子透かし検出手段の検出結果に応じて前記コンテンツを記録する記録手段とを備えた、記録装置である。
また、第２の本発明は、ＳＤＭＩ制御方式に準拠したＳＤ装置であり、
前記コピー制御情報は、複製自由、一世代複製可、及び複製禁止の３種類あり、
前記所定の一部のコピー制御情報とは、複製禁止である、第１の本発明の記録装置である。
また、第３の本発明は、ＣＰＰＭ制御方式またはＣＰＲＭ制御方式に準拠した記録装置であり、
前記コピー制御情報は、複製自由、一世代複製可、及び複製禁止の３種類あり、
前記所定の一部のコピー制御情報とは、複製禁止である、第１の本発明の記録装置である。
また、第４の本発明は、前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、第２の本発明の記録装置である。
また、第５の本発明は、前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、第３の本発明の記録装置である。
また、第６の本発明は、前記記録手段は、前記コンテンツを暗号化して記録する、第２の本発明の記録装置である。
また、第７の本発明は、前記コンテンツは、オーディオコンテンツである、第１の本発明の記録装置である。
また、第８の本発明は、複数種類のコピー制御の仕方を示すコピー制御情報を利用して再生制御を行う再生装置であって、
ＳＤＭＩ制御方式に準拠したＳＤ装置で記録されたＳＤＭＩ保護コンテンツを再生する場合には、前記コンテンツから前記コピー制御情報を検出せず、前記ＳＤＭＩ保護コンテンツ以外のコンテンツである非ＳＤＭＩ保護コンテンツを再生する場合には、前記コピー制御情報を示す電子透かしを重畳した前記コンテンツから前記コピー制御情報のうちの所定の一部のコピー制御情報を検出する電子透かし検出手段と、
前記ＳＤＭＩ保護コンテンツを再生する場合には、前記コンテンツを再生し、前記非ＳＤＭＩ保護コンテンツを再生する場合には、前記電子透かし検出手段の検出結果に応じて前記コンテンツを再生する再生手段とを備えた、再生装置である。
また、第９の本発明は、前記コピー制御情報は、複製自由、一世代複製可、及び複製禁止の３種類あり、
前記所定の一部のコピー制御情報とは、複製禁止である、第８の本発明の再生装置である。
また、第１０の本発明は、前記非ＳＤＭＩ保護コンテンツを再生する場合には、前記電子透かし検出手段の検出結果が、前記複製禁止が検出されたことを示す場合、前記再生手段は、前記コンテンツを再生せず、前記電子透かし検出手段の検出結果が、前記複製禁止が検出されていないことを示す場合、前記再生手段は、前記コンテンツを再生する、第９の本発明の記録装置である。
また、第１１の本発明は、前記コンテンツは、オーディオコンテンツである、第８の本発明の再生装置である。
また、第１２の本発明は、複数種類のコピー制御の仕方を示すコピー制御情報を利用してコピー制御を行う複合機であって、
前記コピー制御情報を示す電子透かしを重畳したコンテンツからコピー制御情報を検出する電子透かし検出手段と、
前記電子透かし検出手段の検出結果に応じて前記コンテンツを記録する記録手段と、
前記電子透かし検出手段の検出結果に応じて前記コンテンツを再生する再生手段とを備え、
前記コンテンツを記録する際、前記電子透かし検出手段は、前記コピー制御情報を示す電子透かしを重畳したコンテンツから前記コピー制御情報のうちの所定の一部のコピー制御情報を検出し、
前記コンテンツを再生する際、前記電子透かし検出手段は、前記コピー制御情報を示す電子透かしを重畳したコンテンツから全ての前記コピー制御情報を検出する、複合機である。
また、第１３の本発明は、複数種類のコピー制御の仕方を示すコピー制御情報を利用してコピー制御を行う記録方法であって、
前記コピー制御情報を示す電子透かしを重畳したコンテンツから前記コピー制御情報のうちの所定の一部のコピー制御情報を検出する電子透かし検出ステップと、
前記電子透かし検出手段の検出結果に応じて前記コンテンツを記録する記録ステップとを備えた記録方法である。
また、第１４の本発明は、複数種類のコピー制御の仕方を示すコピー制御情報を利用して再生制御を行う再生方法であって、
ＳＤＭＩ制御方式に準拠したＳＤ装置で記録されたＳＤＭＩ保護コンテンツを再生する場合には、前記コンテンツから前記コピー制御情報を検出せず、前記ＳＤＭＩ保護コンテンツ以外のコンテンツである非ＳＤＭＩ保護コンテンツを再生する場合には、前記コピー制御情報を示す電子透かしを重畳した前記コンテンツから前記コピー制御情報のうちの所定の一部のコピー制御情報を検出する電子透かし検出ステップと、
前記ＳＤＭＩ保護コンテンツを再生する場合には、前記コンテンツを再生し、前記非ＳＤＭＩ保護コンテンツを再生する場合には、前記電子透かし検出手段の検出結果に応じて前記コンテンツを再生する再生ステップとを備えた再生方法である。
また、第１５の本発明は、複数種類のコピー制御の仕方を示すコピー制御情報を利用してコピー制御を行う複合機に用いられる記録再生方法であって、
前記コピー制御情報を示す電子透かしを重畳したコンテンツからコピー制御情報を検出する電子透かし検出ステップと、
前記電子透かし検出手段の検出結果に応じて前記コンテンツを記録する記録ステップと、
前記電子透かし検出手段の検出結果に応じて前記コンテンツを再生する再生ステップとを備え、
前記コンテンツを記録する際、前記電子透かし検出ステップは、前記コピー制御情報を示す電子透かしを重畳したコンテンツから前記コピー制御情報のうちの所定の一部のコピー制御情報を検出し、
前記コンテンツを再生する際、前記電子透かし検出ステップは、前記コピー制御情報を示す電子透かしを重畳したコンテンツから全ての前記コピー制御情報を検出する、記録再生方法である。
また、第１６の本発明は、第１の本発明の記録装置の、前記コピー制御情報を示す電子透かしを重畳したコンテンツから前記コピー制御情報のうちの所定の一部のコピー制御情報を検出する電子透かし検出手段と、
前記電子透かし検出手段の検出結果に応じて前記コンテンツを記録する記録手段の一部としてコンピュータを機能させるためのプログラムである。
また、第１７の本発明は、第８の本発明の再生装置の、ＳＤＭＩ制御方式に準拠したＳＤ装置で記録されたＳＤＭＩ保護コンテンツを再生する場合には、前記コンテンツから前記コピー制御情報を検出せず、前記ＳＤＭＩ保護コンテンツ以外のコンテンツである非ＳＤＭＩ保護コンテンツを再生する場合には、前記コピー制御情報を示す電子透かしを重畳した前記コンテンツから前記コピー制御情報のうちの所定の一部のコピー制御情報を検出する電子透かし検出手段と、
前記ＳＤＭＩ保護コンテンツを再生する場合には、前記コンテンツを再生し、前記非ＳＤＭＩ保護コンテンツを再生する場合には、前記電子透かし検出手段の検出結果に応じて前記コンテンツを再生する再生手段の一部としてコンピュータを機能させるためのプログラムである。
また、第１８の本発明は、第１１の本発明の複合機の、前記コピー制御情報を示す電子透かしを重畳したコンテンツからコピー制御情報を検出する電子透かし検出手段と、
前記電子透かし検出手段の検出結果に応じて前記コンテンツを記録する記録手段の一部と、
前記電子透かし検出手段の検出結果に応じて前記コンテンツを再生する再生手段の一部としてコンピュータを機能させるためのプログラムである。
また、第１９の本発明は、第１６の本発明のプログラムを担持した記録媒体であって、コンピュータにより処理可能な記録媒体である。
また、第２０の本発明は、第１７の本発明のプログラムを担持した記録媒体であって、コンピュータにより処理可能な記録媒体である。
また、第２１の本発明は、第１８の本発明のプログラムを担持した記録媒体であって、コンピュータにより処理可能な記録媒体である。
【図面の簡単な説明】  図１は、本発明の実施の形態における記録再生装置の構成を示すブロック図である。
図２は、本発明の実施の形態における記録再生装置の、コンテンツの電子透かしに基づいて制御信号を送信するための手順を示すフローチャート図である。
図３は、本発明の実施の形態における複合機の構成を示す図である。
図４は、本発明の実施の形態における複合機の処理の概要を示す図である。
図５は、本発明の実施の形態におけるＤＶＤレコーダの処理の概要を示す図である。
図６は、本発明の実施の形態における予め指定された状態の電子透かしだけを検出するモードか、または、全部の状態の電子透かしを検出するモードか変えて検出を行った場合の検出状況を示す図である。
図７は、複製制御管理情報とプレーヤ再生制御との関係を示す図である。
図８は、従来の複製制御方法を使用した光ディスクプレーヤのブロック図である。
図９は、従来の複製制御方法を使用した光ディスクプレーヤ再生時の複製制御フローチャート図である。
図１０は、ＳＤＭＩ制御方式の概要を示す図である。
図１１は、第２の従来技術における電子透かしの検出タイミングを示す図である。
図１２は、第２の従来技術における電子透かしを利用した記録装置のブロック図である。
図１３は、第２の従来技術におけるコンテンツの電子透かしに基づいて制御信号を送信するための手順を示すフローチャート図である。
【符号の説明】
１０１  記録コンテンツ入力端子
１０２  コンテンツ切り替え手段
１０３  電子透かし検出手段
１０４  記録手段
１０５  再生手段
１０６  再生コンテンツ出力端子
【発明を実施するための最良の形態】  以下に本発明の実施の形態を図面を参照して説明する。
図１は本発明の実施の形態における記録再生装置の構成を示すブロック図である。
図１で本実施の形態における記録再生装置は、記録コンテンツ入力端子１０１、コンテンツ切り替え手段１０２、電子透かし検出手段１０３、記録手段１０４、再生手段１０５、及び再生コンテンツ出力端子１０６から構成される。
記録コンテンツ入力端子１０１は、記録用のコンテンツを入力する手段である。コンテンツ切り替え手段１０２は、記録コンテンツ入力端子１０１または再生手段１０５のどちらかのコンテンツを選択し、電子透かし検出手段１０３へ送る手段である。電子透かし検出手段１０３は、コンテンツ切り替え手段１０２からの入力から電子透かしを検出し、記録手段１０４と再生手段１０５に制御信号を送信する手段である。記録手段１０４は、記録用のコンテンツを圧縮暗号化してＳＤメモリカード（図示せず）に記録する手段である。再生手段１０５は、ＳＤメモリカード（図示せず）に記録されているコンテンツを復号伸張する手段である。再生コンテンツ出力端子１０６は、再生手段１０５の再生コンテンツを出力する手段である。
まず、記録動作について説明する。なお、以下に説明する記録動作は、図１０において、非保護入力により入力されたコンテンツがＳＤメモリカードに記録される場合の動作に対応している。記録時には、コンテンツ切り替え手段１０２は記録コンテンツ入力端子１０１側のコンテンツを選択するよう制御されているものとする。
このように本実施の形態の記録再生装置は、従来の技術でも説明したように、本実施の形態の記録再生装置（ＳＤオーディオ機器）から、一般のデジタルメディア（たとえば、ＭＤ、ＣＤ−Ｒなど）へのデジタル複製はできないよう、デジタル出力は基本的に禁止されている。すなわち、ＳＤＭＩ保護コンテンツはＳＤオーディオ機器の範囲外では、複製禁止扱いとなる。したがって、本実施の形態の記録再生装置は、ＳＤオーディオ記録する場合には、入力コンテンツの複製制御情報が複製禁止であるかどうかだけを判別し、一世代複製可、複製自由の区別は行わない。なお、ＳＤＭＩ保護コンテンツについては、従来の技術で説明したので詳細な説明は省略する。
図２は、図１の電子透かし検出手段１０３において、コンテンツの電子透かしに基づいて制御信号を送信するための手順を示すフローチャートである。以下、図２にしたがって説明する。
まず、コンテンツ開始指示があると、開始から１５秒以内に１回目の電子透かし検出を行うために、電子透かし検出手段１０３により、第１の電子透かし検出窓が開始され、開始から３０秒以内で１回目の電子透かし検出が完了する（ステップ１）。第１の電子透かし検出の開始位置は、コンテンツ開始と同時でもよいし、コンテンツ開始から１５秒以内の適当な時点から開始してもよい。電子透かし検出処理と同時に、記録手段１０４においてＳＤオーディオの圧縮暗号化処理が行われている。
第１の電子透かし検出窓が終了すると、電子透かし検出手段１０３は、電子透かしが複製禁止を示しているかどうかを確認する（ステップ２）。複製制御情報のうち複製禁止は、１１という２ビットの数値で表され、一世代のみ複製可は、１０という２ビットの数値で表され、複製自由は、００という２ビットの数値で表される。従って電子透かしのＬＳＢが“１”になるのは複製禁止の電子透かしが検出された場合である。従って、複製禁止の電子透かしが検出されたかどうかを判断するには電子透かしのＬＳＢが“１”であるかどうかを調べればよい。
もし、（ステップ２）で、電子透かしが複製禁止を示していれば、そのコンテンツは複製禁止であるから、電子透かし検出手段１０３は、複製禁止の制御信号を記録手段１０４へ送信する（ステップ７）。記録手段１０４は、圧縮、暗号化を停止し、それまでに圧縮暗号化したコンテンツを削除する。このとき、表示機能のある機器であれば使用者に電子透かしが複製禁止であったため、そのコンテンツを記録できない旨を表示する事も可能である。
一方、もし、（ステップ２）で複製禁止を示していなかった場合には、電子透かし検出手段１０３は、４５秒以降の任意の位置まで待つ（ステップ３）。そして、電子透かし検出手段１０３は、２回目の電子透かし検出である第２の電子透かし検出を行う（ステップ４）。
第２の電子透かし検出窓が終了すると、電子透かし検出手段１０３は、電子透かしが複製禁止を示しているかどうかを確認する（ステップ５）。（ステップ５）において複製禁止の電子透かしが検出されたかどうかの判断は、（ステップ２）と同様に、電子透かしのＬＳＢが“１”であるかどうかを調べることによって行う。
もし、（ステップ５）で電子透かしが複製禁止を示していれば、そのコンテンツは複製禁止であるから、電子透かし検出手段１０３は、複製禁止の制御信号を記録手段１０４へ送信する（ステップ７）。
もし、（ステップ５）で電子透かしが複製禁止を示していなかった場合には、そのコンテンツには、複製自由、または、一世代複製可の電子透かしが埋め込まれていたか、電子透かしが埋め込まれいないか、のどれかである。したがって、電子透かし検出手段１０３は、複製許可の制御信号を記録手段１０４へ送信する（ステップ８）。記録手段１０４はコンテンツの最後まで圧縮、暗号化を継続する。
以上のように電子透かしによる複製制御に準拠しながらＳＤＭＩ保護コンテンツを記録する。
次に、再生について説明する。
ＳＤオーディオ再生も、記録と同様に、ＳＤＭＩ保護コンテンツと非ＳＤＭＩ保護コンテンツの２つに大別される。なお、ＳＤＭＩ保護コンテンツと非ＳＤＭＩ保護コンテンツについては、従来の技術で説明したものと同様であり、以下にその要点をまとめておく。
ＳＤＭＩ保護コンテンツは、記録時に既に暗号などで著作権情報が保護されていたか、または、電子透かし検出を行って複製が許可されているコンテンツであるかどうかを確認した上でＣＰＲＭ暗号化されており、ＳＤＭＩ規格に準拠した著作権保護がなされている。したがってＳＤＭＩ保護コンテンツをＳＤオーディオ再生装置で再生する場合には、電子透かし検出することなく、そのまま再生できる。なお、ＳＤＭＩ保護コンテンツを再生する動作は、図１０の保護入力または非保護入力により入力されて、記録されたコンテンツを再生する場合の動作に対応する。
一方、非ＳＤＭＩ保護コンテンツは、その素性を確認できない。複製制御情報に応じた著作権保護がされているという保証はない。このため、非ＳＤＭＩ保護コンテンツをＳＤオーディオ再生装置で再生する場合には、改めてコンテンツに埋め込まれた電子透かしに含まれる複製制御情報を調べる必要がある。非ＳＤＭＩ保護コンテンツを再生する場合の電子透かし検査は、本来コンテンツの記録時に行われているべきものを、再生時に実施するのであるから、ＳＤ記録の場合と同様に、再生コンテンツの複製制御情報が複製禁止であるかどうかだけを判別すればよく、一世代複製可、複製自由の区別をする必要はない。
再生時には、図１のコンテンツ切り替え手段１０２は再生コンテンツ出力端子側のコンテンツを選択するよう制御されているものとする。なお、以下に説明する再生時の動作は、図１０において、非暗号コンテンツ入力により入力され、ＳＤメモリカードに記録された非ＳＤＭＩ保護コンテンツが再生され、アナログ出力される場合の動作に対応する。
再生の場合の手順も、図２に示すコンテンツの電子透かしに基づいて制御信号を送信するための手順と基本的に同様である。
まず、コンテンツ開始指示あると、開始から１５秒以内に１回目の電子透かしの検出を行うために、電子透かし検出手段１０３により、第１の電子透かし検出窓が開始され、開始から３０秒以内で１回目の電子透かし検出が完了する（ステップ１）。電子透かし検出処理と同時に、再生手段１０５においてＳＤオーディオの暗号復号と伸張処理が行われており、再生コンテンツ出力端子１０６から出力されたコンテンツは直ちにアナログ信号に変換されてユーザに提供される。
第１の電子透かし検出窓が終了すると、電子透かし検出手段１０３は、電子透かしが複製禁止を示しているかどうかを確認する（ステップ２）。ここで、複製禁止の電子透かしが検出されたかどうかを判断するには、記録時の動作で説明したのと同様に電子透かしのＬＳＢが“１”であるかどうかを調べればよい。
もし、（ステップ２）で、電子透かしが複製禁止を示していれば、電子透かし検出手段１０３は、そのコンテンツはもともと複製禁止であったものを複製したものと見なし、複製禁止の制御信号を再生手段１０５へ送信する（ステップ７）。再生手段１０５は、復号、伸張を停止し、それにより、コンテンツの再生も停止する。このとき、表示機能のある機器であれば、使用者に電子透かしが複製禁止であったため再生できない旨を表示する事も可能である。
一方、もし、（ステップ２）で複製禁止を示していなかった場合には、電子透かし検出手段１０３は、４５秒以降の任意の位置まで待つ（ステップ３）。この間は再生が続けられる。そして、電子透かし検出手段１０３は、２回目の電子透かし検出である第２の電子透かし検出を行う（ステップ４）。
第２の電子透かし検出窓が終了すると、電子透かし検出手段１０３は、電子透かしが複製禁止を示しているかどうかを確認する（ステップ５）。ここで、複製禁止の電子透かしが検出されたかどうかを判断するには、記録時の動作で説明したのと同様に電子透かしのＬＳＢが“１”であるかどうかを調べればよい。
もし、（ステップ５）で電子透かしが複製禁止を示していれば、そのコンテンツは複製禁止であるから、電子透かし検出手段１０３は、複製禁止の制御信号を再生手段１０５へ送信する（ステップ７）。
もし、（ステップ５）で電子透かしが複製禁止を示していなかった場合には、そのコンテンツには、複製自由、または、一世代複製可の電子透かしが埋め込まれていたか、電子透かしが埋め込まれいないか、のどれかである。したがって、電子透かし検出手段１０３は、複製許可の制御信号を記録手段１０４へ送信する（ステップ８）。この制御に応じて、再生手段１０５はコンテンツの最後まで再生を継続する。
以上のようにして電子透かしによる複製制御に準拠しながら非ＳＤＭＩ保護コンテンツを再生する。
以上のように、本実施の形態の記録装置、再生装置は、複数の状態を示し得る電子透かしを重畳したコンテンツから予め指定された状態の電子透かしを検出するため、全ての状態すなわち全てのコピー制御の仕方の電子透かしを検出する場合に比べて簡単な処理で済み、処理量を削減できる効果を得られる。
なお、本実施の形態では、ＳＤオーディオのみの機器について述べたが、ＤＶＤとＳＤの商品としては複合機もあり得る。
図３にこのような複合機２０１の構成を示す。複合機２０１は、ＤＶＤオーディオプレーヤ２０２、ＳＤオーディオ装置２０３、スイッチ２０４、スイッチ２０５、アナログ出力端子２０６、デジタル出力端子２０７、及びデジタル入力端子２０８を備えている。
ＤＶＤオーディオプレーヤ２０２は、第１の従来の技術で示した図８の光ディスクプレーヤー１７４である。ＳＤオーディオ装置２０３は、本実施の形態おける、図１の記録再生装置である。
複合機２０１は、ＤＶＤオーディオプレーヤ２０２がＤＶＤオーディオを再生する場合には、第１の従来の技術で説明した動作を行う。ＤＶＤオーディオプレーヤ２０２でＤＶＤオーディオを再生する場合には、スイッチ２０４は、ＤＶＤオーディオプレーヤ２０２とアナログ出力端子２０６とを接続するように切り替えられる。従って、ＤＶＤオーディオプレーヤ２０２でＤＶＤオーディオが再生されると、アナログ出力端子２０６から再生されたＤＶＤオーディオに対応するアナログ信号が出力される。また、デジタル出力端子２０７から再生されたＤＶＤオーディオに対応するデジタル信号が出力される。
また、ＤＶＤオーディオプレーヤ２０２で再生されたＤＶＤオーディオをＳＤオーディオ装置２０３がＳＤカードメモリに記録する場合には、スイッチ２０５は、ＤＶＤオーディオプレーヤ２０２とＳＤオーディオ装置２０３とを接続するように切り替えられる。このとき再生されたＤＶＤオーディオをユーザが聴く場合には、スイッチ２０４はＤＶＤオーディオプレーヤ２０２とアナログ出力端子２０６とを接続するように切り替えられ、再生されたＤＶＤオーディオに対応するアナログ信号が、アナログ出力端子２０６から出力される。そして、ＤＶＤオーディオプレーヤ２０２で再生されたＤＶＤオーディオをＳＤオーディオ装置２０３がＳＤメモリカードに記録する場合については、後述する。また、デジタル入力端子２０８から入力されるコンテンツをＳＤオーディオ装置２０３がＳＤメモリカードに記録する場合にも、ＳＤオーディオ装置２０３は、本実施の形態の記録再生装置と同様に動作する。
ＳＤオーディオ装置２０３が、ＳＤメモリカードに記録されたコンテンツを再生する場合には、スイッチ２０４が、ＳＤオーディオ装置２０３とアナログ出力端子２０６とを接続するように切り替えられ、ＳＤオーディオ装置２０３で再生されたコンテンツは、アナログ信号として、アナログ出力端子２０６から出力される。このときＳＤオーディオ装置２０３は、本実施の形態の記録再生装置と同様に動作する。
なお、本実施の形態の複合機２０１のＤＶＤオーディオプレーヤ２０２は本発明の複合機の再生手段の例であり、本実施の形態の複合機２０１のＳＤオーディオ装置２０３は本発明の複合機の記録手段の例であり、本実施の形態の複合機２０１のＤＶＤオーディオプレーヤ２０２及びＳＤオーディオ装置２０３は本発明の複合機の電子透かし検出手段の例である。
このような複合機２０１の場合において、ＤＶＤオーディオプレーヤ２０２でＤＶＤを再生する場合には、第１の従来の技術で示したような複製制御情報の全ての状態すなわち全てのコピー制御の仕方の電子透かし検出が要求される。一方、ＳＤオーディオ装置２０３がデジタル入力端子２０８から入力されたコンテンツを記録する場合には本実施の形態で説明したように、複製制御情報のうち複製禁止のみを検出すればよい。従って、このような複合機２０１の場合には、メディアに応じて、予め指定された状態すなわち、予め指定された複製制御の仕方の電子透かしだけを検出するか、または、全ての状態すなわち全ての複製制御の仕方の電子透かしを検出するかを切り替えられるのが便利である。
ＳＤオーディオ装置２０３がＤＶＤオーディオプレーヤ２０２で再生されたＤＶＤオーディオのコンテンツを内部接続経由で記録する場合には、図１０に示す配信入力に相当する処理が行われる。すなわち、ＤＶＤオーディオコンテンツはＣＰＲＭ暗号によって保護されており、ＤＶＤオーディオに含まれるデジタルＣＣＩは改竄出来ない。従って、記録可否、記録条件などがこれらのデジタルＣＣＩによって決定される。この場合、電子透かしの検出を行う必要はない。
ＤＶＤオーディオのデジタルＣＣＩには、（１）オーディオコピー可否、（２）オーディオコピー数、（３）オーディオ音質、（４）関連コンテンツコピー可否、（５）従来機器用ＣＣＩ、などが定義されている。（１）のオーディオコピー可否は、（２）のオーディオコピー数と共に用いられて、「自由にコピー可」、「オーディオコピー数で許された回数までコピー可」、「オーディオコピー数で許された回数まで所定の圧縮形式でコピー可」、などを示す。各コンテンツにはＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）と呼ばれる、商用コンテンツ毎に固有の識別コードが付与されており、機器はこのＩＳＲＣとコピー回数とを関連付けて当該コンテンツのコピー回数を計数しなければならない。（３）のオーディオ音質は、コピーのチャンネル数（５．１チャンネルなどの多チャンネル、２チャンネルなど）やサンプリング周波数、ビット長、圧縮オーディオの場合のビットレートなどを規定する。（４）の関連コンテンツコピー可否は、オーディオコンテンツに関連する静止画のコピー可否を示す。（５）の従来機器用ＣＣＩはＭＤ、ＣＤ−Ｒ、ＤＡＴなどに内部接続経由でデジタルコピーする場合の規則を示す。
ＳＤオーディオ装置２０３がＤＶＤオーディオプレーヤ２０２で再生されたＤＶＤオーディオのコンテンツを内部接続経由で記録する場合には、前記デジタルＣＣＩの（１）オーディオコピー可否、（２）オーディオコピー数、（３）オーディオ音質、などに従ってＳＤＭＩ保護コンテンツとして記録する。
また、複合機が、ＣＰＰＭ制御方式に準拠したＤＶＤの機能を有するとともに、さらに、ＣＤ−ＤＡ（Ｃｏｍｐａｃｔ  Ｄｉｓｃ  Ｄｉｇｉｔａｌ  Ａｕｄｉｏ）の再生機能を有し、さらにＣＤ−Ｒ、ＭＤ、及びＨＤＤ（ハードディスク）などのいずれか一つ以上の記録機能を有する複合機の場合、ＣＤ−ＤＡ、ＣＤ−Ｒ、ＭＤ及びＨＤＤについてもＣＰＰＭ制御方式で処理されることが決まっている。このような複合機のＣＤ−ＤＡに記録されているコンテンツを再生し、複合機の内部接続経由で、複合機のＣＤ−ＲまたはＭＤまたは複合機に内蔵されているＨＤＤに記録する場合にも、本実施の形態の記録再生装置のメディアをＳＤメモリカードからＣＤ−ＲまたはＭＤまたは複合機に内蔵されているＨＤＤに置きかえることにより、本実施の形態の記録再生装置を適用することが出来、本実施の形態と同等の効果を得ることが出来る。ただし、ＣＤ−Ｒ、ＭＤ、または内蔵ＨＤＤにコンテンツを記録する場合、ＣＰＲＭ暗号記録は行わない。また、これらのメディアから再生する際には、電子透かしによる再生制御も行わない。
すなわち、ＣＰＰＭ制御方式に準拠したこのような複合機において、ＣＤ−ＤＡに記録されたオーディオコンテンツを再生して内部接続経由で複合機のＣＤ−ＲまたはＭＤまたは複合機に内蔵されているＨＤＤに記録する場合、記録するオーディオコンテンツの電子透かしの検出を行い、電子透かしが検出されたかどうか、また検出した電子透かしのコピー制御情報に応じてオーディオコンテンツを記録するかしないかを決定している。
従って、ＣＤ−ＤＡに記録されたオーディオコンテンツを入力し、複合機の内部接続経由で、複合機のＣＤ−ＲまたはＭＤまたは複合機に内蔵されているＨＤＤに記録する場合、本実施の形態の記録動作と同様の動作をすることが出来る。図４は、ＣＤ−ＤＡに記録されたオーディオコンテンツを、複合機の内部接続経由で、複合機のＣＤ−ＲまたはＭＤまたは複合機に内蔵されているＨＤＤに記録する場合に、本実施の形態の記録再生装置の記録動作と同様の動作をする複合機２１１の処理の概要を示す図である。
すなわち、この場合、複合機２１１は、ＣＤ−ＤＡに記録されたオーディオコンテンツをまず再生する。そして、複合機２１１は、再生されたオーディオコンテンツの電子透かしを検出し、図４にＡＷＭ（オーディオウォーターマーク）スクリーニングと記載しているように、オーディオコンテンツに埋め込まれている電子透かしによる判定を行う。すなわち、複合機２１１は、図４にＮｏＭｏｒｅＣｏｐｙ（複製禁止）と記載されているように、その電子透かしが複製禁止を示している場合には、複合機２１１のＣＤ−ＲまたはＭＤまたは複合機２１１に内蔵されているＨＤＤに記録せず、複製禁止を示していない場合または電子透かしが検出できなかった場合には、これらのメディアに再生されたオーディオコンテンツを記録する。
ここで、再生されたオーディオコンテンツを複合機２１１のＣＤ−ＲまたはＭＤまたは複合機２１１に内蔵されているＨＤＤに記録する場合には、ＣＤ−ＤＡに格納されているＳＣＭＳ情報を記録メディアに反映する。すなわちＳＣＭＳが複製自由の場合はそのまま、ＳＣＭＳが一世代複製可の場合には複製禁止に更新して、ＳＣＭＳを記録メディアに記録する。電子透かしに埋め込まれたコピー制御情報をこれらのメディアに反映する必要がない。従って、複合機２１１がＣＤ−ＤＡに記録されたオーディオコンテンツの電子透かしを検出する場合、本実施の形態の記録再生装置と同様に複製禁止だけを検出すればよく、複製自由と一世代複製可とを区別する必要がない。従って、本実施の形態の記録再生装置のメディアをＳＤメモリカードからＣＤ−ＲまたはＭＤまたは複合機に内蔵されているＨＤＤに置きかえることにより、本実施の形態の記録再生装置をこのような複合機２１１に適用することが出来る。
また、ＣＰＲＭ制御方式に準拠したＤＶＤレコーダにも本実施の形態の記録再生装置を適用することが出来る。図５に、このようなＤＶＤレコーダ２２１の処理の概要を示す。ＤＶＤレコーダ２２１は、ＤＶＤ−Ｒ、ＤＶＤ−ＲＷ、ＤＶＤ−ＲＡＭなどを対象とし、扱うコンテンツとしては動画と音声とから構成されるビデオなどのＡＶコンテンツである。
ＤＶＤレコーダ２２１の入力については、保護入力と非保護入力とがある。保護入力は、ＩＥＥＥ１３９４−ＤＴＣＰにより伝送されるコンテンツが入力される場合や、ＤＶＤレコーダ２２１が内蔵しているデジタル放送チューナからＢ−ＣＡＳ方式で保護されたコンテンツを入力する場合である。保護入力されたコンテンツは、図５に送りもとのルールに応じて記録と記載されているように、送りもとのルールに応じて記録される。また、非保護入力は、コンテンツがアナログ信号として入力される場合である。
また、ＤＶＤレコーダ２２１の出力については、保護デジタル出力とアナログ出力と非保護デジタルオーディオ出力とがある。保護デジタル出力は、ＩＥＥＥ１３９４−ＤＴＣＰやＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）などにより出力である。ここで、ＨＤＣＰとは、ソース機器と表示装置を接続するＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などのコンテンツ保護技術である。また、アナログ出力は、コンテンツをアナログ信号として出力するものであり、再生されたコンテンツのデジタルＣＣＩに従って、ＡＧＣ（Ａｕｔｏｍａｔｉｃ  Ｇａｉｎ  Ｃｏｎｔｒｏｌ）及びＣＧＭＳ−Ａ（Ｃｏｐｙ  Ｇｅｎｅｒａｔｉｏｎ  Ｍａｎａｇｅｍｅｎｔ  Ｓｙｓｔｅｍ）が付加されてコンテンツが出力される。ここで、ＡＧＣとは、マクロビジョン社のアナログビデオ信号のコピー保護技術である。また、ＣＧＭＳ−Ａとは、ビデオなどのＡＶコンテンツのコピー制御機構であり、Ａはアナログであることを示している。すなわち、ＣＧＭＳ−Ａは、ビデオのアナログ信号の垂直帰線期間に付加されている。非保護デジタルオーディオ出力は、ＩＥＣ６０９５８やＩＥＣ６１９３７である。ここで、ＩＥＣ６０９５８、及びＩＥＣ６１９３７は、デジタルオーディオインターフェースであり、ＣＤ、ＭＤなどについている光ケーブルのインターフェース仕様である。ＩＥＣ６０９５８は、リニアＰＣＭを用いるものであり、ＩＥＣ６１９３７はＡＣ３などの圧縮オーディオを用いるものである。
図５のＤＶＤレコーダ２２１において、非保護入力されたコンテンツをＤＶＤ−Ｒ、ＤＶＤ−ＲＷ、ＤＶＤ−ＲＡＭなどのメディアに記録する場合に、本実施の形態の記録再生装置で、ＳＤカードメモリをＤＶＤ−Ｒ、ＤＶＤ−ＲＷ、ＤＶＤ−ＲＡＭ等のメディアに置きかえ、暗号記録する場合の動作を若干変更することにより、本実施の形態の記録再生装置を適用することが出来る。
すなわち、ＤＶＤレコーダ２２１で、非保護入力されたコンテンツすなわちアナログ信号として入力されたＡＶコンテンツであるコンテンツをＤＶＤ−Ｒ、ＤＶＤ−ＲＷ、ＤＶＤ−ＲＡＭ等のメディアに記録する際、ＤＶＤレコーダ２２１は、まず、アナログ信号として入力されたコンテンツの電子透かしを検出し、図５にＡＷＭ（オーディオウォーターマーク）スクリーニングと記載されているように、電子透かしを用いた判定を行う。すなわち、電子透かしが検出され、検出された電子透かしが複製禁止を示す場合、ＤＶＤレコーダ２２１は、アナログ信号として入力されたコンテンツを記録しない。そして、電子透かしが検出されなかったか、または電子透かしが検出され、検出された電子透かしが複製禁止以外のものである場合、図５にＡＧＣ、ＣＧＭＳ−Ａに応じて記録と記載されているように、アナログ信号として入力されたコンテンツのＡＧＣ及びＣＧＭＳ−Ａに応じてＤＶＤ−Ｒ、ＤＶＤ−ＲＷ、ＤＶＤ−ＲＡＭ等に記録する。例えばＣＧＭＳ−Ａが一世代複製可（Ｃｏｐｙ  ｏｎｅ  ｇｅｎｅｒａｔｉｏｎ）の場合、ＣＧＭＳ−Ａをこれ以上複製不可（Ｎｏ  ｍｏｒｅ  ｃｏｐｙ）に更新して、アナログ信号として入力されたコンテンツをＣＰＲＭ制御方式の基づいて暗号記録する。また、ＣＧＭＳ−Ａが複製自由（Ｃｏｐｙ  ｆｒｅｅ）の場合、アナログ信号として入力されたコンテンツを非暗号記録する。さらに、電子透かしが検出されなかった場合も非暗号記録する。
ＤＶＤレコーダ２２１で、電子透かしを検出し、電子透かしが複製禁止か複製禁止かどうかを判定する際に、本実施の形態の記録再生装置と同様の動作を行うことにより、本実施の形態の記録再生装置と同等の効果を得ることが出来る。なお、本実施の形態の記録再生装置は、コンテンツを記録する場合に全てのコンテンツを暗号記録したが、これに対してＤＶＤレコーダ２２１は、電子透かしが検出されたかどうか、またＡＧＣ及びＣＧＭＳ−Ａに応じてコンテンツを暗号記録する点が相違している。
また、保護入力による入力されたＡＶコンテンツなどのコンテンツは、送りもとのルールに応じて記録される。
このように、ＤＶＤレコーダ２２１で非保護入力されたコンテンツを記録する際に、本実施の形態の記録再生装置とほぼ同等の動作をさせることが出来る。
また、本実施の形態では、電子透かしのＬＳＢが“１”かどうかに着目して複製禁止の電子透かしの検出の有無を判断する例を示したが、本発明はこの方法に限定されるものではない。たとえば、電子透かし検出フラグや電子透かしのＭＳＢの処理部分を省略して本発明を実施することも考えられる。この場合にも本発明の処理がそのまま適用できることは言うまでもない。
また、それぞれの状態の電子透かしを、予め指定された状態（複製禁止）の電子透かしだけを検出するモードか、または、全部の状態の電子透かしを検出するモードかを変えて検出を行った場合の検出状況を図６に示す。
図６において、検出モードが複製禁止のみとして示されているモードは、埋め込まれた電子透かしがない場合、複製自由の場合、一世代複製可の場合、複製禁止の場合の４つの場合のうち、埋め込まれた電子透かしが複製禁止かそうでないかのみを検出するモードである。これに対して、検出モードが全部として示されているモードは、埋め込まれた電子透かしがない場合、複製自由の場合、一世代複製可の場合、複製禁止の場合の４つの場合のうち、全ての場合を検出するモードである。また、１回目の検出結果は、図１１及び図２で第１の電子透かし検出により埋め込まれた電子透かしが検出された結果を示し、２回目の検出結果は、図１１及び図２で第２の電子透かし検出により埋め込まれた電子透かしが検出された結果を示すものである。
どちらのモードの場合も、最終的な複製禁止可否は、「複製禁止」の電子透かしが埋め込まれている場合だけ否になり、モードによって変わらない。しかし、「複製自由」と「一世代複製可」の電子透かしが埋め込まれている場合には、複製禁止だけを検出するモードでは２回検出を行って両方とも未検出となるが、全てを検出するモードでは１回目の検出で埋め込まれている電子透かしが検出され、複製可否が確定する。このことに着目すると、ＣＤなどの一般的に電子透かしが埋め込まれている可能性の低いコンテンツの場合には、複製禁止だけを検出するモードにする制御を行うことが効率的である。また、ＤＶＤオーディオをアナログで記録する場合等ではコンテンツに電子透かしが埋め込まれている可能性が高い。このような場合には、全てを検出するモードにするという制御を行うことにより、コンテンツの複製制御情報が一世代複製可や複製自由の場合には、埋め込まれた電子透かしを一回だけ検出するだけでよいので、電子透かしを検出する処理量が少なくて済む。
また、ＤＶＤオーディオをＳＤ記録で高倍速記録をしたい場合には、複製禁止だけを検出するモードにして電子透かし検出による負荷を低減し、処理速度を早くし、非ＳＤＭＩ保護コンテンツのＳＤ再生の場合には、高倍速記録の場合のように高速処理が要求されないので、全ての電子透かしを検出するモードにして電子透かしの検出回数を減らす、というような制御を行ってもよい。
また、本実施の形態では、複製制御情報が複製禁止、一世代のみ複製可、複製自由の３種類の複製制御の仕方を示すとして説明したがこれに限らない。複製制御情報が５種類や４種類などの複製制御の仕方を示すものであっても構わない。例えば複製制御情報が複製禁止、一世代のみ複製可、複製自由、これ以上複製禁止の４種類の複製制御の仕方を示すような場合がある。ここで複製禁止、一世代のみ複製可、複製自由は上記で説明したものと同様の意味である。また、これ以上複製禁止は一世代のみ複製可のコンテンツが一度複製された後にその複製が再生された場合に示すコピー制御の仕方であり、これ以上複製することは禁止することを意味している。このようなコピー制御情報を有する非ＳＤＭＩ保護コンテンツをＳＤオーディオ記録する場合には、電子透かしとして複製禁止とこれ以上複製禁止の２種類の複製制御の仕方を検出すればよい。一般に、複製制御情報の複製制御の仕方がｎ（ｎは１以上の整数）種類存在する場合にも、そのような非ＳＤＭＩ保護コンテンツを記録する場合には、ｎ種類の複製制御の仕方から所定の一部の複製制御情報を検出することにより本実施の形態と同様の効果を得ることが出来る。また、非ＳＤＭＩ保護コンテンツの再生する場合も記録する場合と同様である。
また、本実施の形態では、ＳＤＭＩ制御方式に準拠したＳＤ装置で記録されたＳＤＭＩ保護コンテンツとＳＤＭＩ保護コンテンツ以外のコンテンツである非ＳＤＭＩ保護コンテンツについて記録または再生する場合について説明したが、ＳＤＭＩ制御方式以外の他の制御方式に準拠したコンテンツとその他の制御方式に準拠したコンテンツ以外のコンテンツについて記録または再生する場合についても同様である。
このように、本実施の形態によれば本発明の記録装置、再生装置は、複数の状態を示し得る電子透かしを重畳したコンテンツから予め指定された状態の電子透かしだけを検出する電子透かし検出手段と、前記電子透かし検出手段の検出結果に応じて前記コンテンツを記録する記録手段、または、再生する再生手段を備え、複数の状態を示し得る電子透かしを重畳したコンテンツから予め指定された状態の電子透かしを検出するため、全ての状態の電子透かしを検出する場合に比べて簡単な処理で済み、処理量を削減できるという効果が得られる。
尚、本発明のプログラムは、上述した本発明の記録装置の全部又は一部の手段（又は、装置、素子等）の機能をコンピュータにより実行させるためのプログラムであって、コンピュータと協働して動作するプログラムである。
又、本発明のプログラムは、上述した本発明の再生装置の全部又は一部の手段（又は、装置、素子等）の機能をコンピュータにより実行させるためのプログラムであって、コンピュータと協働して動作するプログラムである。
又、本発明の記録媒体は、上述した本発明の記録装置の全部又は一部の手段（又は、装置、素子等）の機能をコンピュータにより実行させるためのプログラムを担持した記録媒体であり、コンピュータにより読み取り可能且つ、読み取られた前記プログラムが前記コンピュータと協動して前記機能を実行する記録媒体である。
又、本発明の記録媒体は、上述した本発明の再生装置の全部又は一部の手段（又は、装置、素子等）の機能をコンピュータにより実行させるためのプログラムを担持した記録媒体であり、コンピュータにより読み取り可能且つ、読み取られた前記プログラムが前記コンピュータと協動して前記機能を実行する記録媒体である。
尚、本発明のプログラムまたは記録媒体における上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
又、本発明のプログラムまたは記録媒体における上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
又、本発明のプログラムの一利用形態は、コンピュータにより読み取り可能な記録媒体に記録され、コンピュータと協働して動作する態様であっても良い。
又、本発明のプログラムの一利用形態は、伝送媒体中を伝送し、コンピュータにより読みとられ、コンピュータと協働して動作する態様であっても良い。
又、記録媒体としては、ＲＯＭ等が含まれ、伝送媒体としては、インターネット等の伝送媒体、光・電波・音波等が含まれる。
又、上述した本発明のコンピュータは、ＣＰＵ等の純然たるハードウェアに限らず、ファームウェアや、ＯＳ、更に周辺機器を含むものであっても良い。
尚、以上説明した様に、本発明の構成は、ソフトウェア的に実現しても良いし、ハードウェア的に実現しても良い。
【産業上の利用可能性】  以上説明したところから明らかなように、本発明は効率のよい電子透かしの検出を行うことが出来る記録装置、再生装置、複合機、記録方法、再生方法、記録再生方法、プログラム、及び記録媒体を提供することが出来る。
【図１】
2004064062.tif 000003
【図２】
2004064062.tif 000004
【図３】
2004064062.tif 000005
【図４】
2004064062.tif 000006
【図５】
2004064062.tif 000007
【図６】
2004064062.tif 000008
【図７】
2004064062.tif 000009
【図８】
2004064062.tif 000010
【図９】
2004064062.tif 000011
【図１０】
2004064062.tif 000012
【図１１】
2004064062.tif 000013
【図１２】
2004064062.tif 000014
【図１３】
2004064062.tif 000015
【手続補正書】
【提出日】平成16年6月3日(2004.6.3)
【手続補正００１】
【補正対象書類名】特許請求の範囲
【補正対象項目名】特許請求の範囲
【補正方法】変更
【補正の内容】
【特許請求の範囲】
【請求項１】
（補正後）複数ビットのデジタルデータからなり、複数種類のコピー制御の仕方を示すコピー制御情報を利用してコピー制御を行う記録装置であって、
前記コピー制御情報を示す電子透かしを重畳したコンテンツから前記コピー制御情報のうちの所定の一部のビットのデジタルデータを検出する電子透かし検出手段と、
前記電子透かし検出手段の検出結果に応じて前記コンテンツを記録する記録手段とを備えた、記録装置。
【請求項２】
（補正後）ＳＤＭＩ制御方式に準拠したＳＤ装置であり、
前記コピー制御情報は、複製自由、一世代複製可、及び複製禁止の３種類あり、
前記所定の一部のビットのデジタルデータは、複製禁止を示す、請求の範囲第１項記載の記録装置。
【請求項３】
（補正後）ＣＰＰＭ制御方式またはＣＰＲＭ制御方式に準拠した記録装置であり、
前記コピー制御情報は、複製自由、一世代複製可、及び複製禁止の３種類あり、
前記所定の一部のビットのデジタルデータは、複製禁止を示す、請求の範囲第１項記載の記録装置。
【請求項４】
前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、請求の範囲第２項記載の記録装置。
【請求項５】
前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、請求の範囲第３項記載の記録装置。
【請求項６】
前記記録手段は、前記コンテンツを暗号化して記録する、請求の範囲第２項記載の記録装置。
【請求項７】
前記コンテンツは、オーディオコンテンツである、請求の範囲第１項記載の記録装置。
【請求項８】
（補正後）複数ビットのデジタルデータからなり、複数種類のコピー制御の仕方を示すコピー制御情報を利用してコピー制御を行う記録方法であって、
前記コピー制御情報を示す電子透かしを重畳したコンテンツから前記コピー制御情報のうちの所定の一部のビットのデジタルデータを検出する電子透かし検出ステップと、
前記電子透かし検出手段の検出結果に応じて前記コンテンツを記録する記録ステップとを備えた記録方法。
【請求項９】
（補正後）請求の範囲第１項記載の記録装置の、前記コピー制御情報を示す電子透かしを重畳したコンテンツから前記コピー制御情報のうちの所定の一部のビットのデジタルデータを検出する電子透かし検出手段と、
前記電子透かし検出手段の検出結果に応じて前記コンテンツを記録する記録手段の一部としてコンピュータを機能させるためのプログラム。
【請求項１０】
請求の範囲第９項記載のプログラムを担持した記録媒体であって、コンピュータにより処理可能な記録媒体。
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
複数ビットのデジタルデータからなり、複数種類のコピー制御の仕方を示すコピー制御情報を利用してコピー制御を行う記録装置であって、
前記コピー制御情報を示す電子透かしを重畳したコンテンツから前記コピー制御情報のうちの所定の一部のビットのデジタルデータを検出する電子透かし検出手段と、
前記電子透かし検出手段の検出結果に応じて前記コンテンツを記録する記録手段とを備えた、記録装置。
【請求項２】
ＳＤＭＩ制御方式に準拠したＳＤ装置であり、
前記コピー制御情報は、複製自由、一世代複製可、及び複製禁止の３種類あり、
前記所定の一部のビットのデジタルデータは、複製禁止を示す、請求項１記載の記録装置。
【請求項３】
ＣＰＰＭ制御方式またはＣＰＲＭ制御方式に準拠した記録装置であり、
前記コピー制御情報は、複製自由、一世代複製可、及び複製禁止の３種類あり、
前記所定の一部のビットのデジタルデータは、複製禁止を示す、請求項１記載の記録装置。
【請求項４】
前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、請求項２記載の記録装置。
【請求項５】
前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、請求項３記載の記録装置。
【請求項６】
前記記録手段は、前記コンテンツを暗号化して記録する、請求項２記載の記録装置。
【請求項７】
前記コンテンツは、オーディオコンテンツである、請求項１記載の記録装置。
【請求項８】
複数ビットのデジタルデータからなり、複数種類のコピー制御の仕方を示すコピー制御情報を利用してコピー制御を行う記録方法であって、
前記コピー制御情報を示す電子透かしを重畳したコンテンツから前記コピー制御情報のうちの所定の一部のビットのデジタルデータを検出する電子透かし検出ステップと、
前記電子透かし検出手段の検出結果に応じて前記コンテンツを記録する記録ステップとを備えた記録方法。
【請求項９】
請求項１記載の記録装置の、前記コピー制御情報を示す電子透かしを重畳したコンテンツから前記コピー制御情報のうちの所定の一部のビットのデジタルデータを検出する電子透かし検出手段と、
前記電子透かし検出手段の検出結果に応じて前記コンテンツを記録する記録手段の一部としてコンピュータを機能させるためのプログラム。
【請求項１０】
請求項９記載のプログラムを担持した記録媒体であって、コンピュータにより処理可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、コンテンツに埋め込まれた電子透かしにしたがってコンテンツの記録制御、または再生制御を行う記録装置、再生装置、複合機、記録方法、再生方法、記録再生方法、プログラム、及び記録媒体に関するものである。
【背景技術】
【０００２】
近年ＡＶ機器のデジタル化が進むに伴い、コンテンツの品質を劣化させることなく複製することが可能になった。しかし、著作権のあるコンテンツを無制限に複製することは著作権保持者の権利を侵害する恐れがある。ＡＶ機器としても適切な著作権保護機能を持つことが要望されている。
【０００３】
デジタルオーディオ機器の複製制御としては、１９８０年代から、シリアルコピーマネジメントシステム（以下ＳＣＭＳと略称する）が広く使用されている。ＳＣＭＳは、ＣＤ、ＭＤや放送電波などのメディアにコンテンツとともに複製制御情報を記録しておき、同一筐体内、あるいは、異なる機器間をデジタルインターフェイスを介して接続してコンテンツを複製する場合に、被複製コンテンツの複製制御情報に従って複製の可否制御を行うものである。ＳＣＭＳはＭＤなどの民生用録音機器では一定の効果を上げている。
【０００４】
しかし、ＳＣＭＳでは複製制御情報をコンテンツと独立したデジタルデータとして持つ。このため、アナログ伝送の場合には複製制御情報が伝送できず、複製制御もできない。また、パーソナルコンピュータなどを用いると容易に複製制御情報を無効化できる。
【０００５】
このようなＳＣＭＳの問題点を踏まえて、ＤＶＤやＳＤ（Secure Digital）メモリカード用オーディオ規格（以下ＳＤオーディオと省略する）の著作権保護システムであるContent Protection for Prerecorded Media規格、及びContent Protection for Recordable Media規格（以下ＣＰＰＭ、ＣＰＲＭと省略する）では、電子透かしを利用した複製制御方式が採用されている。また、音楽業界、コンピュータ業界、民生エレクトロニクス業界などが参加して決めたＳＤＭＩ（Secure Digital Music Initiative）規格でも電子透かしを用いた複製制御・再生制御方式が提案されている。
【０００６】
電子透かしは、これを埋めこんだ信号を再生した場合でも、通常の視聴では原信号との違いが認識できず、コンテンツの品質を損なわない。電子透かしはコンテンツに直接埋め込まれるため、アナログ伝送でも複製制御情報が伝送できる。また、通常のオーディオ圧縮・伸張（ＭＰ３など）を経ても複製制御情報が保持されるという耐久力もある。さらに、特別な埋め込みと特別な解読装置とを用いないと読み書きできず、コンテンツ自体の暗号化と組み合わせることによりＳＣＭＳよりも強力な複製制御を実現できる。
【０００７】
ＣＰＰＭ、ＣＰＲＭ、ＳＤＭＩで用いられている電子透かし技術は、リニアＰＣＭ形式のデジタルオーディオデータに１２ビットの情報を電子透かしとして埋め込むことができる。このうち複製制御に用いられるのは２ビットで、「複製自由」、「一世代複製可」および「複製禁止」の３つの状態を示す。２ビットであるから４状態を示すことができるが、残りの１つは使用禁止となっている。
【０００８】
電子透かしは所定時間長（ＳＤＭＩ、ＣＰＲＭ、ＣＰＰＭの場合は１５秒）のリニアＰＣＭ形式のデジタルオーディオデータを所定の信号処理することで検出される。コンテンツがＭＰ３などに圧縮されている場合には、リニアＰＣＭにデコードした後、電子透かし検出を行う。アナログ信号もＡＤコンバータでリニアＰＣＭに変換すれば、電子透かしを検出できる。
【０００９】
電子透かし検出結果は、まず、電子透かしが検出された／されないの２つがある。さらに電子透かしが検出された場合には、「複製自由」、「一世代複製可」および「複製禁止」の３状態が識別される。
【００１０】
従来の電子透かしを利用した再生制御としては、たとえば、特許文献１記載の光ディスク再生装置がある。以下第１の従来技術として、この光ディスク再生装置について説明する。なお、この光ディスク再生装置は、ＣＰＰＭ制御方式に準拠した装置である。
【００１１】
なお、特許文献１の文献の全ての開示は、そっくりそのまま引用する（参照する）ことにより、ここに一体化する。
【００１２】
以下の再生制御の説明では、電子透かしを用いてコンテンツに埋め込まれている複製制御情報をウォータマークＣＣＩと呼ぶ。これに対して、光ディスクにコンテンツと独立したデジタルデータとして記録されている複製制御情報をデジタルＣＣＩと呼ぶ。光ディスクでは、デジタルＣＣＩ、ウォータマークＣＣＩは、図７に示す再生制御が要求されている。
【００１３】
図７において、暗号化されたコンテンツにはデジタルＣＣＩが付加されており、そのデジタルＣＣＩの値に応じてプレーヤは次のように再生制御を行う。コピーフリーのコンテンツ、すなわちデジタルＣＣＩが００のコンテンツは暗号記録が禁止されている。従って、暗号化されていながらデジタルＣＣＩが００のコンテンツは不正なコンテンツとみなされ、再生が制限される。また、デジタルＣＣＩが１０すなわち制限付きコピー（一世代のみ複製可）の場合は、プレーヤは通常再生を行う。また、デジタルＣＣＩが１１すなわちコピー禁止の場合も、プレーヤは通常再生を行う。
【００１４】
一方、コンテンツが暗号化されていない場合には、ウォーターマークＣＣＩの値に応じてプレーヤは次のように再生制御を行う。まず、ウォーターマークＣＣＩが００すなわちコピーフリーの場合は、プレーヤは通常再生を行う。また、ウォーターマークＣＣＩが１０すなわち制限付きコピー（一世代のみ複製可）の場合は、プレーヤは再生を制限する。また、ウォーターマークＣＣＩが１１すなわちコピー禁止の場合も、プレーヤは再生を制限する。  図８は、従来の複製制御方法を使用した光ディスクプレーヤのブロック図である。光ディスクプレーヤ１７４は、スピンドルモータ１６１と、光ピックアップ１６２と、機構制御部１６３と、信号処理部１６４と、暗号復号装置１６５と、デジタルＣＣＩ復号装置１６６と、ＡＶ復号装置１６７と、ウォータマークＣＣＩ復号装置１６９と、ＤＡコンバータ１６８と、デジタル信号出力制御部１７０と、アナログ信号出力制御部１７１と、表示部１７２と、システム制御部１７３とにより構成されている。
【００１５】
スピンドルモータ１６１は、ディスク１６０を回転させる手段である。光ピックアップ１６２は、ディスク１６０に記録された信号を読み取る手段である。機構制御部１６３は、スピンドルモータ１６１と光ピックアップ１６２を駆動し制御する手段である。信号処理部１６４は、光ピックアップ１６２の出力からデータ取り出しや誤り訂正を行ってシステムストリームを抽出し、機構制御部１６３に制御信号を与える手段である。また、信号処理部１６４は、システムストリームを解析し、再生単位のスタート、終端、ディスク全体再生の終端などの再生形態情報も抽出し、システム制御部１７３へ送る手段である。暗号復号装置１６５は、前記システムストリームが暗号化されているかどうか検査し、暗号化されている場合には暗号を復号する手段である。また、暗号復号装置１６５は、システムストリームが暗号化されているか否かを示す暗号化状態情報を、システム制御部１７３へ送る手段である。デジタルＣＣＩ復号装置１６６は、暗号復号装置１６５が出力する暗号化されていないシステムストリームから、デジタルＣＣＩを検出する手段である。ＡＶ復号装置１６７は、暗号復号装置１６５が出力する暗号化されていないシステムストリームからデジタルオーディオ信号あるいはデジタルビデオ信号を抽出してデコードする手段である。ウォータマークＣＣＩ復号装置１６９は、ＡＶ復号装置１６７出力のデジタルオーディオ信号あるいはデジタルビデオ信号からウォータマークＣＣＩデータを検出する手段である。ＤＡコンバータ１６８は、前記デジタルオーディオ信号あるいはデジタルビデオ信号をアナログオーディオ信号あるいはアナログビデオ信号に変換する手段である。デジタル信号出力制御部１７０は、前記デジタルオーディオ信号あるいはデジタルビデオ信号を規定の出力フォーマット（例えば、ＩＥＣ６０９５８，ＩＥＥＥ１３９４など）に変換して出力制御を行う手段である。アナログ信号出力制御部１７１は、ＤＡコンバータ１６８が出力するアナログオーディオ信号あるいはアナログビデオ信号の出力制御を行う手段である。表示部１７２は、動作状態を表示する手段である。システム制御部１７３は、前記ウォータマークＣＣＩデータと前記デジタルＣＣＩデータと、信号処理部１６４から得られる再生状態情報と、暗号復号装置１６５から得られるシステムストリームの暗号化状態情報とを読み込んでデジタル信号出力制御部１７０とアナログ信号出力制御部１７１を制御し、かつ表示部１７２、機構制御部１６３も制御する手段である。
【００１６】
以上のように構成された光ディスクプレーヤ１７４のデジタル再生動作について説明する。なお、以下に説明するデジタル再生動作は、ディスク１６０にＤＶＤオーディオが記録されており、ディスク１６０に記録されたＤＶＤオーディオが再生される場合の動作である。
【００１７】
ディスク１６０に記録された信号を光ピックアップ１６２で読み取る。信号処理部１６４は、機構制御部１６３に制御信号を与えながら、データ取り出しと誤り訂正を行ってシステムストリームを抽出する。暗号復号装置１６５は、前記システムストリームが暗号化されているかどうか検査し、暗号化されている場合には暗号を復号して、暗号化されていないシステムストリームをデジタルＣＣＩ復号装置１６６とＡＶ復号装置１６７に転送する。
【００１８】
ＡＶ復号装置１６７は前記システムストリームからデジタルオーディオ信号あるいはデジタルビデオ信号を抽出してデコードし、ウォータマークＣＣＩ復号装置１６９とデジタル信号出力制御部１７０に転送する。なお、ＤＶＤオーディオには、ＤＶＤオーディオに付属して静止画などのビデオデータを持たせることが出来るので、ＡＶ復号装置１６７などは、デジタルオーディオ信号またはデジタルビデオ信号を処理する。
【００１９】
デジタル信号出力制御部１７０は、前記デジタルオーディオ信号あるいはデジタルビデオ信号を規定の出力フォーマット（例えば、ＩＥＣ６０９５８，ＩＥＥＥ１３９４など）に変換して出力する。
【００２０】
デジタルＣＣＩ復号装置１６６は、前記システムストリームからデジタルＣＣＩデータをデコードしてシステム制御部１７３に転送する。ウォータマークＣＣＩ復号装置１６９は、前記デジタルオーディオ信号からウォータマークＣＣＩデータを検出してシステム制御部１７３に転送する。
【００２１】
システム制御部１７３は、前記デジタルＣＣＩデータとウォータマークＣＣＩデータを読み込み、そのデータに従ってデジタル信号出力制御部１７０と機構制御部１６３を制御する。また、動作表示情報を表示部１７２に転送する。
【００２２】
以上のように構成された従来の光ディスクにおいて、システム制御部１７３で行われる再生時の複製制御フローの一例について、図９を用いて説明する。
【００２３】
まず、システム制御部１７３は、暗号復号装置１６５から得られる、システムストリームの暗号化の有無を検査する（ステップ１）。暗号化されている場合は、システム制御部１７３は、デジタルＣＣＩデータの有無を検査する（ステップ２）。デジタルＣＣＩデータがある場合には、システム制御部１７３は、前記デジタルＣＣＩデータが「複製自由（Freely）」でないかどうかを検査する(ステップ３)。図７に示したとおり、暗号化されたオーディオあるいはビデオデジタルデータのデジタルＣＣＩは「一世代複製可」あるいは「複製禁止」だけが許されており、「複製自由」は許されていない。従って、デジタルＣＣＩデータが「複製自由」である場合は、違法な複製ディスクと判断される。その結果、システム制御部１７３は、デジタル信号出力制御部１７０とアナログ信号出力制御部１７１の両方を制御してデジタル信号出力とアナログ信号出力を共にミュートする（ステップ４）。
【００２４】
一方、ステップ３でデジタルＣＣＩデータが「複製自由」でないと判断された場合は、システム制御部１７３は、通常再生を行う(ステップ８)。
【００２５】
また、ステップ１でシステムストリームが暗号化されていないと判断された場合と、暗号化されていてもステップ２でデジタルＣＣＩデータがないと判断された場合には、システム制御部１７３は、ウォータマークＣＣＩ復号装置１６９から得られるウォータマークＣＣＩの有無を読み出す（ステップ９）。次に、ウォータマークＣＣＩデータがある場合には、システム制御部１７３は、ウォータマークＣＣＩデータが「複製自由（Freely）」であるかどうかを検査する(ステップ１０)。図７に示したとおり、ウォータマークＣＣＩデータが「複製自由」の場合だけが通常再生可能であり(ステップ１２)、その他の「一世代複製可」および「複製禁止」の場合は、違法な複製ディスクと判断される。その結果、システム制御部１７３は、デジタル信号出力制御部１７０とアナログ信号出力制御部１７１の両方を制御してデジタル信号出力とアナログ信号出力を共にミュートする (ステップ１１)。
【００２６】
そして、システム制御部１７３は、再生単位（音楽１曲など）の終端を判断し(ステップ５)、終端でなければステップ１に戻り、終端であれば、ディスク全体再生の終端であるかを判断する(ステップ６)。システム制御部１７３は、ディスク全体再生の終端でない場合は、デジタル信号出力制御部１７０とアナログ信号出力制御部１７１とを通常出力状態に再設定してステップ１に戻る。一方、ディスク全体再生の終端である場合は、システム制御部１７３は、再生を終了する。
【００２７】
以上のように、第１の従来技術によって光ディスク再生時に著作権保護がなされている。
【００２８】
次に、第２の従来技術として、非特許文献１に記載のＳＤＭＩ方式の電子透かしを利用した記録制御について説明する。メモリースティック（登録商標）のオーディオ記録やＳＤオーディオは、このＳＤＭＩ制御方式に準拠している。
【００２９】
なお、非特許文献１の文献の全ての開示は、そっくりそのまま引用する（参照する）ことにより、ここに一体化する。
【００３０】
ＳＤオーディオの記録は、記録対象がＳＤＭＩ保護コンテンツと非ＳＤＭＩ保護コンテンツの２つに大別される。ＳＤＭＩ保護コンテンツは、ＳＤＭＩ規格で認められた暗号などにより複製制御情報も含めて保護されている。したがってＳＤＭＩ保護コンテンツをＳＤオーディオ記録する場合には暗号化された複製制御情報にしたがう。一方、ＳＤＭＩ保護コンテンツ以外のコンテンツである非ＳＤＭＩ保護コンテンツの場合には、コンテンツに付属する複製制御情報があったとしても、改竄されている可能性もあるので、コンテンツに埋め込まれた電子透かしに含まれる複製制御情報を調べる必要がある。
【００３１】
また、ＳＤオーディオは、記録するコンテンツを圧縮暗号化し、ＳＤＭＩ保護コンテンツとする。さらに、ＳＤオーディオ機器の機器固有識別番号やメディア固有識別番号と関連づけてＳＤＭＩ保護コンテンツとしての複製数を制限している。さらに、ＳＤオーディオ機器から、前述の制限が及ばない一般のデジタルメディア（たとえば、ＭＤ、ＣＤ−Ｒなど）へのデジタル複製（孫複製）はできないよう、デジタル出力は基本的に禁止されている。すなわち、ＳＤＭＩ保護コンテンツはＳＤオーディオ機器の範囲外では、複製禁止扱いとなる。したがって、ＳＤオーディオ記録する場合には、入力コンテンツの複製制御情報が複製禁止であるかどうかだけを判別すればよく、一世代複製可、複製自由の区別をする必要はない。
【００３２】
このようなＳＤＭＩ制御方式について以下にさらに詳細に説明する。
【００３３】
ＳＤＭＩ制御方式とは、メモリースティックやＳＤメモリカードなどにオーディオを記録したり再生したりする際の制御方式である。
【００３４】
図１０に、ＳＤＭＩ制御方式の概要を示す。ＳＤＭＩ制御方式に準拠するＳＤオーディオ機器は、入力される信号を、配信入力、保護入力、非保護入力、及び非暗号コンテンツ入力の４種類に分けて、それぞれ異なった入力処理を行う。
【００３５】
まず、配信入力とは、インターネットなどを経由して配信されてくるコンテンツを入力するものである。ただし、配信入力により入力されたコンテンツの処理は、ＳＤＭＩ制御方式の範囲外の処理である。配信入力されるコンテンツは、通常プロバイダ毎に異なった暗号化の仕組みを用いて暗号化されて配信される。例えば、コンテンツが３回まで複製可能であるなどをもこの暗号化の仕組みで設定することが出来る。また、課金処理などを行うことも可能になっている。従って、配信入力されるコンテンツが入力された際、コンテンツの入力処理をする際、プロバイダに対応した暗号化パッケージを用いてコンテンツの入力処理を行うとともに、コンテンツの購入処理をも行う。そして、配信入力されたコンテンツは、プロバイダからコンテンツとともに暗号化されて送られてきたユーセージルールをコンテンツに適用するユーセージルール優先で、すなわちプロバイダ毎に定められた暗号化の仕組みの中で設定された規則に従って、ＨＤＤやＳＤカードに記録される。
【００３６】
また、保護入力とは、ＩＥＥＥ１３９４−ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式で伝送されてくるコンテンツを入力するものである。
【００３７】
ここで、ＩＥＥＥ１３９４は、シリアル伝送を行う高速バスシステムで、データを同期伝送できるため、映像音声データなどのリアルタイム伝送が可能である。このようなＩＥＥＥ１３９４は、家庭用デジタル映像音声機器を始め、多くのデジタル映像音声機器に外部用インターフェースとして搭載されている。ＩＥＥＥ１３９４−ＤＴＣＰ方式によれば、ＩＥＥＥ１３９４バスでデータ伝送する際に、認証機能と鍵の無効化機能を備えており、映像音声データなどの著作権保護が必要なデータを暗号化して伝送することにより著作権の保護を実現することが出来る。このように、ＩＥＥＥ１３９４−ＤＴＣＰ方式は、コンテンツを伝送する際、コンテンツを著作権保護する必要がある場合、そのコンテンツを暗号化して伝送するので、コンテンツの著作権を保護することが出来る。
【００３８】
保護入力で入力されたコンテンツは、ＩＥＥＥ１３９４−ＤＴＣＰ方式で伝送されるので、コンテンツの著作権保護に関する情報を改竄することは困難である。すなわち、コンテンツの著作権保護に関する情報は信頼出来るので、コンテンツを入力する際には、デジタルＣＣＩ（ｄｉｇｉｔａｌ  ｃｏｐｙ  ｃｏｎｔｏｒｏｌ  ｉｎｆｏｒｍａｔｉｏｎ）で制御される。
【００３９】
すなわち、保護入力により入力されたコンテンツは、そのデジタルＣＣＩが検出され、検出されたデジタルＣＣＩに従って、メディアに記録するか否かが決定される。
【００４０】
具体的には、ＳＤＭＩ制御方式に準拠するＳＤオーディオ機器は、保護入力により入力されたコンテンツのデジタルＣＣＩが「複製禁止」の場合には、そのコンテンツをメディアに記録しない。一方、このＳＤオーディオ機器は、入力されたコンテンツのデジタルＣＣＩが「複製自由」または「一世代複製可」の場合には、そのコンテンツを暗号化してメディアに記録するとともに、図１０にＤＣＣＩ（デジタルＣＣＩ）の更新と記載しているように、そのコンテンツのデジタルＣＣＩを「複製禁止」に更新してＣＰＲＭ暗号記録する。なお、ＣＰＰＭ暗号記録とは、ＣＰＰＭに規定されている暗号化の規則に基づいて暗号記録することを意味している。
【００４１】
入力されたコンテンツのデジタルＣＣＩが「複製自由」の場合であっても、ＳＤＭＩ制御方式に準拠するＳＤオーディオ機器がそのデジタルＣＣＩを「複製禁止」に更新して記録する理由は、ＳＤＭＩ制御方式に準拠するＳＤオーディオ機器はデジタル出力が禁止されており、デジタル出力端子が設けられていないからである。
【００４２】
このようにして記録されたコンテンツはＳＤＭＩ保護コンテンツとして処理される。
【００４３】
また、非保護入力とは、ＳＤＭＩ制御方式に準拠したＳＤオーディオ機器がＣＤなどに記録されたコンテンツを光ケーブルを用いて伝送する規格であるＩＥＣ９５８を用いて入力したり、アナログ信号で入力するものである。非保護入力の場合、デジタルＣＣＩは改竄されている可能性があるので、ウォーターマークＣＣＩを検出して記録の可否が判定される。すなわち、コンテンツが非保護入力により入力されると、ＳＤＭＩ制御方式に準拠するＳＤオーディオ機器は、まず、図１０にＷＭ（ウォーターマーク）の検出と記載されているように、ウォーターマークＣＣＩの検出を行う。そして、検出されたウォーターマークＣＣＩが「複製禁止」の場合は、非保護入力経由で入力されたコンテンツを記録しない。また、検出されたウォーターマークＣＣＩが「複製自由」または「一世代複製可」の場合には、そのコンテンツをＣＰＲＭ暗号化してメディアに記録し、記録されたコンテンツのデジタルＣＣＩを「複製禁止」に設定する。このようにしてメディアに記録されたコンテンツは、メディアから再生する際にはＳＤＭＩ保護コンテンツとして扱われる。このように保護入力されたコンテンツや非保護入力されたコンテンツは、ＣＤなどの非保護入力やユーセージルールを持たない配信コンテンツに対して予め決められた規則を適用するディフォルトユーセージルールに従って、すなわち、チェックアウトの回数が３回以下であるなどの予め決められた規則に従って、ＨＤＤやＳＤカードに記録される。
【００４４】
また、上述したＳＤＭＩ保護コンテンツとは、暗号などにより保護された形式で伝送されてきて、デジタルＣＣＩにより記録可否を判定され、ＣＰＲＭ暗号記録されたコンテンツ、または伝送されるいずれかの段階でウォーターマークＣＣＩによって複製可否が判定され、このウォーターマークＣＣＩによるスクリーニングを通過し、ＣＰＲＭ暗号記録されたコンテンツを言う。
【００４５】
また、非暗号コンテンツ入力とは、平文のＭＰ３（ＭＰＥＧ  Ａｕｄｉｏ  Ｌａｙｅｒ  III）などのようにコンテンツが暗号化されずに入力
されることであり、このようなコンテンツは、メディアの非セキュア領域に記録される。ただし、非暗号コンテンツ入力は、ＳＤＭＩ制御方式の範囲外である。非暗号コンテンツ入力は、例えばＰＣ（パーソナルコンピュータ）を用いて行うことが出来る。すなわち、ＰＣは、平文のＭＰ３などのコンテンツを入力し、ＳＤメモリカードの非セキュア領域に記録することが出来る。このようにして記録されたコンテンツは、ウォーターマークＣＣＩによる複製可否の判断がおこなわれていないので、ＳＤＭＩ非保護コンテンツと呼ぶ。ＳＤＭＩ非保護コンテンツは、ＳＤオーディオ機器から出力する際にはＳＤＭＩ制御方式に従って、ウォーターマークＣＣＩの検出により再生制御が行われる。なお、これについては後述する。
【００４６】
次に、ＳＤＭＩ制御方式の出力処理について説明する。
【００４７】
ＳＤＭＩ制御方式の出力処理としては、ＳＤメモリカードへの出力処理、及びアナログ出力処理がある。通常、ＳＤＭＩ制御方式の出力処理としてデジタル出力処理は禁止されている。
【００４８】
ＳＤメモリカードへの出力処理は、チェックイン・アウトにより管理される。チェックイン・アウトとは、例えばＰＣのハードディスクに記録されたＳＤＭＩ保護コンテンツをＳＤメモリカードに記録させる際に、一つのＳＤＭＩ保護コンテンツを何回ＳＤメモリカードにチェックアウト（記録）したかを管理する処理である。例えばＳＤＭＩ保護コンテンツが３回までＳＤメモリカードにチェックアウトすることが許可されている場合、３個のＳＤメモリカードにＳＤＭＩ保護コンテンツをチェックアウトした後には、これ以上他のＳＤメモリカードにＳＤＭＩ保護コンテンツをチェックアウトすることが出来ない。ところが、このＳＤＭＩ保護コンテンツをチェックアウトしたＳＤメモリカードをＰＣに挿入し、このＳＤＭＩ保護コンテンツをＰＣにより挿入したＳＤメモリカードからＰＣへチェックインした場合には、もう一つのＳＤメモリカードにこのＳＤＭＩ保護コンテンツをチェックアウトすることが出来るようになる。ＳＤメモリカードからＰＣへチェックインした場合、当該ＳＤＭＩ保護コンテンツはそのＳＤメモリカードから消去される。このように、チェックイン・アウトにより、ＳＤＭＩ保護コンテンツをいくつのＳＤメモリカードに出力できるかを管理することが出来る。
【００４９】
また、アナログ出力処理は、イヤホンやスピーカなどにアナログ出力する処理である。アナログ出力処理で出力されるコンテンツは、通常１．５倍速以下の速度で出力される。
【００５０】
ＳＤＭＩ保護コンテンツの場合、ＳＤＭＩ制御方式に準拠したＳＤオーディオ機器は、デジタルＣＣＩやウォーターマークＣＣＩの値にかかわらず、アナログ出力出来る。すなわち、ＳＤＭＩ保護コンテンツは記録される際にデジタルＣＣＩやウォーターマークＣＣＩ等のコピー制御情報に従って記録されているので、再生する際に再度コピー制御情報によって再生制御する必要がないからである。これに対して、ＳＤメモリカードの非セキュア領域に記録された非暗号コンテンツすなわちＳＤＭＩ非保護コンテンツは、記録する際に、ウォーターマークＣＣＩやデジタルＣＣＩに応じて記録されたものではないので、再生する際には、ウォーターマークＣＣＩを検出し、検出したウォーターマークＣＣＩによって再生制御される。ウォーターマークＣＣＩによって再生制御するのは、デジタルＣＣＩが改竄されている可能性があるからである。
【００５１】
また、ＳＤＭＩ制御方式に準拠したＳＤオーディオ機器は、ＳＤＭＩ保護コンテンツやＳＤＭＩ非保護コンテンツを再生する際、上述したようにデジタル出力することが出来ないよう、デジタル出力端子が設けられていない。例えば、ＳＤＭＩ制御方式に準拠したＳＤオーディオ機器は、ＩＥＣ９５８などでデジタル出力することは出来ない。
【００５２】
以下の説明では、例として、ＳＤオーディオにおける非特許文献１記載の記録制御方式について説明する。すなわち、非保護入力経由のコンテンツをＳＤオーディオ記録する場合について説明する。以下の説明は、図１０に非保護入力と記載しているように、図１０において、非保護入力により入力された非ＳＤＭＩ保護コンテンツがＳＤメモリカードに記録される場合の動作に対応する。
【００５３】
図１１は、第２の従来技術における電子透かしの検出タイミングを示す図である。電子透かしを検出するためには、１５秒のオーディオ信号を処理しなければならない。これを電子透かし検出窓と呼ぶことにする。
【００５４】
図１２は、第２の従来技術における電子透かしを利用した記録装置のブロック図である。記録装置は、コンテンツ入力端子８０１、電子透かし検出手段８０２、及び記録手段８０３から構成される。電子透かし検出手段８０２は、コンテンツから電子透かしを検出する手段である。記録手段８０３は、コンテンツを記録する手段である。
【００５５】
記録手段８０３は、コンテンツを圧縮し、暗号記録する。また、電子透かし検出手段８０２から複製禁止を示す制御信号が送信されてきた場合、当該コンテンツを、それまでに記録した部分も含めて消去する。
【００５６】
図１３は、図１２の電子透かし検出手段８０２において、コンテンツの電子透かしに基づいて制御信号を送信するための手順を示すフローチャートである。以下、図１３にしたがって説明する。
【００５７】
まず、コンテンツ開始指示が受信されると、開始から１５秒以内に１回目に電子透かしを検出するために、電子透かし検出手段８０２により第１の電子透かし検出窓が開始され、開始から３０秒以内で１回目の電子透かし検出が完了する（ステップ１）。第１の電子透かし検出の開始位置は、コンテンツ開始と同時でもよいし、コンテンツ開始から１５秒以内の適当な時点から開始してもよい。ＳＤオーディオの記録では、入力コンテンツは圧縮され、さらに暗号化されて記録される。図１２には示されていないが、この圧縮暗号化処理は図１２の記録手段８０３において電子透かし検出処理と同時に行われている。
【００５８】
第１の電子透かし検出窓が終了すると、電子透かし検出手段８０２は、電子透かしが発見されたかどうか、すなわち、電子透かし検出フラグが“１”であるかどうか確認する（ステップ２）。
【００５９】
もし、（ステップ２）で電子透かし検出フラグが１である場合には、電子透かし検出手段８０２は、発見された電子透かしが複製禁止を示しているかどうか、すなわち電子透かしが“１１”であるかどうか確認する（ステップ３）。
【００６０】
もし、（ステップ３）で電子透かしが“１１”でなければ、そのコンテンツは複製してよい。したがって、この時点で電子透かし検出手段８０２は電子透かし検出を終了し、複製許可の制御信号を記録手段８０３へ送信する。（ステップ８）。記録手段８０３は、コンテンツの圧縮暗号化はそのまま継続する。
【００６１】
一方、もし、（ステップ３）で、電子透かしが複製禁止を示していれば、そのコンテンツは複製禁止であるから、電子透かし検出手段８０２は、複製禁止の制御信号を記録手段８０３へ送信する（ステップ９）。記録手段８０３は、圧縮、暗号化を停止し、それまでに圧縮暗号化したコンテンツを削除する。また、たとえば、記録装置がＣＤプレーヤと同一筐体内でＳＤオーディオ記録をしている場合には、ＣＤの再生を次のコンテンツに移すとか、再生停止するとかいうよう制御してもよい。また、外部からコンテンツが入力されている場合には、コンテンツの入力を停止することはできないので、そのまま待ち状態に入ってもよい。
【００６２】
一方、もし、（ステップ２）で電子透かしが検出されなかった場合には、４５秒以降の任意の位置まで待つ（ステップ４）。そして、２回目の電子透かし検出である第２の電子透かし検出を行う（ステップ５）。
【００６３】
２回目の電子透かし検出を行うのは、次の理由による。すなわち、１回目の電子透かし検出は、オーディオ信号の先頭に近い部分で行われる。このようにオーディオ信号の先頭に近い部分では、まだ曲の演奏が開始されたばかりであるので、オーディオ信号のレベルが低い場合も多い。このようにオーディオ信号のレベルが低いと電子透かしの検出も困難になる。すなわち、オーディオ信号のレベルが低い場合には、１回目の電子透かし検出に失敗する場合も多い。従って、１回目の電子透かし検出からある程度の時間をおいて２回目の電子透かし検出を行うことにより、１回目の電子透かし検出に失敗しても、２回目の電子透かし検出で、オーディオ信号のレベルが高くなっている可能性が大きい。このような場合には、より確実に電子透かしを検出することが出来るようになる。つまり、１回目の電子透かし検出で電子透かしが検出された場合は、その検出値を有効とする。１回目の電子透かし検出で電子透かしが未検出の場合には、実際に電子透かしが埋め込まれていない場合と、電子透かしの検出に失敗した場合とがあり得る。従って、電子透かしの検出に失敗する危険性を少なくするために、ある程度の間を空けて２回目の電子透かしの検出を実施している。
【００６４】
第２の電子透かし検出窓が終了すると、電子透かし検出手段８０２は、電子透かしが発見されたかどうか、すなわち、電子透かし検出フラグが“１”であるかどうか確認する（ステップ６）。
【００６５】
もし、（ステップ６）で電子透かし検出フラグが１である場合には、電子透かし検出手段８０２は、発見された電子透かしが複製禁止を示しているかどうか、すなわち電子透かしが“１１”であるかどうか確認する（ステップ７）。
【００６６】
もし、（ステップ７）で電子透かしが“１１”でなければ、そのコンテンツは複製してよい。したがって、電子透かし検出手段８０２は、複製許可の制御信号を記録手段８０３へ送信する（ステップ８）。
【００６７】
一方、もし、（ステップ７）で、電子透かしが複製禁止を示していれば、そのコンテンツは複製禁止であるから、電子透かし検出手段８０２は、複製禁止の制御信号を記録手段８０３へ送信する（ステップ９）。
【００６８】
一方、もし、（ステップ６）で電子透かしが検出されなかった場合には、そのコンテンツには電子透かしが埋め込まれておらず、複製してよいものと考える。したがって、電子透かし検出手段８０２は、複製許可の制御信号を記録手段８０３へ送信する（ステップ８）。記録手段８０３はコンテンツの最後まで圧縮、暗号化を継続する。
【００６９】
以上のように、ＳＤオーディオにおいては非特許文献１記載の記録制御方式によって、著作権保護がなされている。
【特許文献１】特開2001-229612号公報  デジタルデ−タのコピ−制御方法及び光デイスク再生装置（第７−１３頁、図６，１２）
【非特許文献１】SECURE DIGITAL MUSIC INITIATIVE 発行「Amendment 3 to SDMI Portable Device Specification, Part I, Version 1.0 」２００１年６月５日改訂版
【発明の開示】
【発明が解決しようとする課題】
【００７０】
しかしながら、上記従来の構成では、第１の従来の技術で説明した光ディスクの再生制御も第２の従来の技術で説明したＳＤオーディオの記録制御も同様の電子透かし検出を行う。すなわち、第１の従来の技術で説明した光ディスクの再生制御では、電子透かしの全ての状態を検出しなければならないが、第２の従来の技術で説明したＳＤオーディオの記録制御では、電子透かしの全ての状態を検出する必要はない。それにもかかわらず、第２の従来の技術で説明したＳＤオーディオの記録制御では、電子透かしの全ての状態を検出していた。このように、制御仕様によっては余分な処理が含まれて効率が悪くなる場合があるという問題点がある。
【００７１】
すなわち、従来のＳＤオーディオの記録制御では、ＳＤＭＩ保護コンテンツはＳＤオーディオ機器の範囲外では、複製禁止扱いとなる。従ってＳＤオーディオ記録する場合には、入力コンテンツの複製制御情報が複製禁止であるかどうかだけを判別すればよいが、それにも関わらず、入力コンテンツの複製制御情報が複製禁止、一世代のみ複製可、複製自由の全ての複製制御の仕方を検出していた。従って、ＳＤオーディオの記録制御では余分な処理が含まれて効率が悪くなる。また、このような問題は、ＳＤオーディオ以外の記録制御でも起こりうる。例えば、ＣＰＰＭ制御方式やＣＰＲＭ制御方式に準拠して、オーディオを記録する場合にも同様の問題が生じる。
【００７２】
同様のことはＳＤオーディオの再生制御の場合にも言える。すなわち、非ＳＤＭＩ保護コンテンツを再生する場合には、複製制御情報が複製禁止の場合には再生しないようにし、複製制御情報が一世代のみ複製可、複製自由の場合には、再生を実施するように制御する。すなわち、入力コンテンツの複製制御情報が複製禁止かどうかだけを判別し、複製禁止の場合には、再生を停止し、複製禁止でない場合には再生を実施するように制御すればよい。しかしながら、それにも関わらず、複製制御情報が複製禁止、一世代のみ複製可、複製自由の全ての複製制御の仕方を検出していた。
【００７３】
つまり、従来の記録制御または再生制御では、複製制御情報の全ての制御の仕方を検出していたので、余分な処理が含まれて効率が悪くなるという課題がある。
【００７４】
本発明は、上記従来の課題を考慮し、効率のよい電子透かしの検出を行うことが出来る記録装置、再生装置、複合機、記録方法、再生方法、記録再生方法、プログラム、及び記録媒体を提供することを目的とする。
【課題を解決するための手段】
【００７５】
上述した課題を解決するために、第１の本発明は、複数種類のコピー制御の仕方を示すコピー制御情報を利用してコピー制御を行う記録装置であって、
前記コピー制御情報を示す電子透かしを重畳したコンテンツから前記コピー制御情報のうちの所定の一部のコピー制御情報を検出する電子透かし検出手段と、
前記電子透かし検出手段の検出結果に応じて前記コンテンツを記録する記録手段とを備えた、記録装置である。
【００７６】
また、第２の本発明は、ＳＤＭＩ制御方式に準拠したＳＤ装置であり、
前記コピー制御情報は、複製自由、一世代複製可、及び複製禁止の３種類あり、
前記所定の一部のコピー制御情報とは、複製禁止である、第１の本発明の記録装置である。
【００７７】
また、第３の本発明は、ＣＰＰＭ制御方式またはＣＰＲＭ制御方式に準拠した記録装置であり、
前記コピー制御情報は、複製自由、一世代複製可、及び複製禁止の３種類あり、
前記所定の一部のコピー制御情報とは、複製禁止である、第１の本発明の記録装置である。
【００７８】
また、第４の本発明は、前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、第２の本発明の記録装置である。
【００７９】
また、第５の本発明は、前記電子透かし検出手段の検出結果が、前記複製禁止が検出されたことを示す場合、前記記録手段は、前記コンテンツを記録せず、前記電子透かし検出手段の検出結果が、前記複製禁止が検出されていないことを示す場合、前記記録手段は、前記コンテンツを記録する、第３の本発明の記録装置である。
【００８０】
また、第６の本発明は、前記記録手段は、前記コンテンツを暗号化して記録する、第２の本発明の記録装置である。
【００８１】
また、第７の本発明は、前記コンテンツは、オーディオコンテンツである、第１の本発明の記録装置である。
【００８２】
また、第８の本発明は、複数種類のコピー制御の仕方を示すコピー制御情報を利用して再生制御を行う再生装置であって、
ＳＤＭＩ制御方式に準拠したＳＤ装置で記録されたＳＤＭＩ保護コンテンツを再生する場合には、前記コンテンツから前記コピー制御情報を検出せず、前記ＳＤＭＩ保護コンテンツ以外のコンテンツである非ＳＤＭＩ保護コンテンツを再生する場合には、前記コピー制御情報を示す電子透かしを重畳した前記コンテンツから前記コピー制御情報のうちの所定の一部のコピー制御情報を検出する電子透かし検出手段と、
前記ＳＤＭＩ保護コンテンツを再生する場合には、前記コンテンツを再生し、前記非ＳＤＭＩ保護コンテンツを再生する場合には、前記電子透かし検出手段の検出結果に応じて前記コンテンツを再生する再生手段とを備えた、再生装置である。
【００８３】
また、第９の本発明は、前記コピー制御情報は、複製自由、一世代複製可、及び複製禁止の３種類あり、
前記所定の一部のコピー制御情報とは、複製禁止である、第８の本発明の再生装置である。
【００８４】
また、第１０の本発明は、前記非ＳＤＭＩ保護コンテンツを再生する場合には、前記電子透かし検出手段の検出結果が、前記複製禁止が検出されたことを示す場合、前記再生手段は、前記コンテンツを再生せず、前記電子透かし検出手段の検出結果が、前記複製禁止が検出されていないことを示す場合、前記再生手段は、前記コンテンツを再生する、第９の本発明の記録装置である。
【００８５】
また、第１１の本発明は、前記コンテンツは、オーディオコンテンツである、第８の本発明の再生装置である。
【００８６】
また、第１２の本発明は、複数種類のコピー制御の仕方を示すコピー制御情報を利用してコピー制御を行う複合機であって、
前記コピー制御情報を示す電子透かしを重畳したコンテンツからコピー制御情報を検出する電子透かし検出手段と、
前記電子透かし検出手段の検出結果に応じて前記コンテンツを記録する記録手段と、
前記電子透かし検出手段の検出結果に応じて前記コンテンツを再生する再生手段とを備え、
前記コンテンツを記録する際、前記電子透かし検出手段は、前記コピー制御情報を示す電子透かしを重畳したコンテンツから前記コピー制御情報のうちの所定の一部のコピー制御情報を検出し、
前記コンテンツを再生する際、前記電子透かし検出手段は、前記コピー制御情報を示す電子透かしを重畳したコンテンツから全ての前記コピー制御情報を検出する、複合機である。
【００８７】
また、第１３の本発明は、複数種類のコピー制御の仕方を示すコピー制御情報を利用してコピー制御を行う記録方法であって、
前記コピー制御情報を示す電子透かしを重畳したコンテンツから前記コピー制御情報のうちの所定の一部のコピー制御情報を検出する電子透かし検出ステップと、
前記電子透かし検出手段の検出結果に応じて前記コンテンツを記録する記録ステップとを備えた記録方法である。
【００８８】
また、第１４の本発明は、複数種類のコピー制御の仕方を示すコピー制御情報を利用して再生制御を行う再生方法であって、
ＳＤＭＩ制御方式に準拠したＳＤ装置で記録されたＳＤＭＩ保護コンテンツを再生する場合には、前記コンテンツから前記コピー制御情報を検出せず、前記ＳＤＭＩ保護コンテンツ以外のコンテンツである非ＳＤＭＩ保護コンテンツを再生する場合には、前記コピー制御情報を示す電子透かしを重畳した前記コンテンツから前記コピー制御情報のうちの所定の一部のコピー制御情報を検出する電子透かし検出ステップと、
前記ＳＤＭＩ保護コンテンツを再生する場合には、前記コンテンツを再生し、前記非ＳＤＭＩ保護コンテンツを再生する場合には、前記電子透かし検出手段の検出結果に応じて前記コンテンツを再生する再生ステップとを備えた再生方法である。
【００８９】
また、第１５の本発明は、複数種類のコピー制御の仕方を示すコピー制御情報を利用してコピー制御を行う複合機に用いられる記録再生方法であって、
前記コピー制御情報を示す電子透かしを重畳したコンテンツからコピー制御情報を検出する電子透かし検出ステップと、
前記電子透かし検出手段の検出結果に応じて前記コンテンツを記録する記録ステップと、
前記電子透かし検出手段の検出結果に応じて前記コンテンツを再生する再生ステップとを備え、
前記コンテンツを記録する際、前記電子透かし検出ステップは、前記コピー制御情報を示す電子透かしを重畳したコンテンツから前記コピー制御情報のうちの所定の一部のコピー制御情報を検出し、
前記コンテンツを再生する際、前記電子透かし検出ステップは、前記コピー制御情報を示す電子透かしを重畳したコンテンツから全ての前記コピー制御情報を検出する、記録再生方法である。
【００９０】
また、第１６の本発明は、第１の本発明の記録装置の、前記コピー制御情報を示す電子透かしを重畳したコンテンツから前記コピー制御情報のうちの所定の一部のコピー制御情報を検出する電子透かし検出手段と、
前記電子透かし検出手段の検出結果に応じて前記コンテンツを記録する記録手段の一部としてコンピュータを機能させるためのプログラムである。
【００９１】
また、第１７の本発明は、第８の本発明の再生装置の、ＳＤＭＩ制御方式に準拠したＳＤ装置で記録されたＳＤＭＩ保護コンテンツを再生する場合には、前記コンテンツから前記コピー制御情報を検出せず、前記ＳＤＭＩ保護コンテンツ以外のコンテンツである非ＳＤＭＩ保護コンテンツを再生する場合には、前記コピー制御情報を示す電子透かしを重畳した前記コンテンツから前記コピー制御情報のうちの所定の一部のコピー制御情報を検出する電子透かし検出手段と、
前記ＳＤＭＩ保護コンテンツを再生する場合には、前記コンテンツを再生し、前記非ＳＤＭＩ保護コンテンツを再生する場合には、前記電子透かし検出手段の検出結果に応じて前記コンテンツを再生する再生手段の一部としてコンピュータを機能させるためのプログラムである。
【００９２】
また、第１８の本発明は、第１１の本発明の複合機の、前記コピー制御情報を示す電子透かしを重畳したコンテンツからコピー制御情報を検出する電子透かし検出手段と、
前記電子透かし検出手段の検出結果に応じて前記コンテンツを記録する記録手段の一部と、
前記電子透かし検出手段の検出結果に応じて前記コンテンツを再生する再生手段の一部としてコンピュータを機能させるためのプログラムである。
【００９３】
また、第１９の本発明は、第１６の本発明のプログラムを担持した記録媒体であって、コンピュータにより処理可能な記録媒体である。
【００９４】
また、第２０の本発明は、第１７の本発明のプログラムを担持した記録媒体であって、コンピュータにより処理可能な記録媒体である。
【００９５】
また、第２１の本発明は、第１８の本発明のプログラムを担持した記録媒体であって、コンピュータにより処理可能な記録媒体である。
【発明の効果】
【００９６】
本発明は効率のよい電子透かしの検出を行うことが出来る記録装置、再生装置、複合機、記録方法、再生方法、記録再生方法、プログラム、及び記録媒体を提供することが出来る。
【発明を実施するための最良の形態】
【００９７】
以下に本発明の実施の形態を図面を参照して説明する。
【００９８】
図１は本発明の実施の形態における記録再生装置の構成を示すブロック図である。
【００９９】
図１で本実施の形態における記録再生装置は、記録コンテンツ入力端子１０１、コンテンツ切り替え手段１０２、電子透かし検出手段１０３、記録手段１０４、再生手段１０５、及び再生コンテンツ出力端子１０６から構成される。
【０１００】
記録コンテンツ入力端子１０１は、記録用のコンテンツを入力する手段である。コンテンツ切り替え手段１０２は、記録コンテンツ入力端子１０１または再生手段１０５のどちらかのコンテンツを選択し、電子透かし検出手段１０３へ送る手段である。電子透かし検出手段１０３は、コンテンツ切り替え手段１０２からの入力から電子透かしを検出し、記録手段１０４と再生手段１０５に制御信号を送信する手段である。記録手段１０４は、記録用のコンテンツを圧縮暗号化してＳＤメモリカード（図示せず）に記録する手段である。再生手段１０５は、ＳＤメモリカード（図示せず）に記録されているコンテンツを復号伸張する手段である。再生コンテンツ出力端子１０６は、再生手段１０５の再生コンテンツを出力する手段である。
【０１０１】
まず、記録動作について説明する。なお、以下に説明する記録動作は、図１０において、非保護入力により入力されたコンテンツがＳＤメモリカードに記録される場合の動作に対応している。記録時には、コンテンツ切り替え手段１０２は記録コンテンツ入力端子１０１側のコンテンツを選択するよう制御されているものとする。
【０１０２】
このように本実施の形態の記録再生装置は、従来の技術でも説明したように、本実施の形態の記録再生装置（ＳＤオーディオ機器）から、一般のデジタルメディア（たとえば、ＭＤ、ＣＤ−Ｒなど）へのデジタル複製はできないよう、デジタル出力は基本的に禁止されている。すなわち、ＳＤＭＩ保護コンテンツはＳＤオーディオ機器の範囲外では、複製禁止扱いとなる。したがって、本実施の形態の記録再生装置は、ＳＤオーディオ記録する場合には、入力コンテンツの複製制御情報が複製禁止であるかどうかだけを判別し、一世代複製可、複製自由の区別は行わない。なお、ＳＤＭＩ保護コンテンツについては、従来の技術で説明したので詳細な説明は省略する。
【０１０３】
図２は、図１の電子透かし検出手段１０３において、コンテンツの電子透かしに基づいて制御信号を送信するための手順を示すフローチャートである。以下、図２にしたがって説明する。
【０１０４】
まず、コンテンツ開始指示があると、開始から１５秒以内に１回目の電子透かし検出を行うために、電子透かし検出手段１０３により、第１の電子透かし検出窓が開始され、開始から３０秒以内で１回目の電子透かし検出が完了する（ステップ１）。第１の電子透かし検出の開始位置は、コンテンツ開始と同時でもよいし、コンテンツ開始から１５秒以内の適当な時点から開始してもよい。電子透かし検出処理と同時に、記録手段１０４においてＳＤオーディオの圧縮暗号化処理が行われている。
【０１０５】
第１の電子透かし検出窓が終了すると、電子透かし検出手段１０３は、電子透かしが複製禁止を示しているかどうかを確認する（ステップ２）。複製制御情報のうち複製禁止は、１１という２ビットの数値で表され、一世代のみ複製可は、１０という２ビットの数値で表され、複製自由は、００という２ビットの数値で表される。従って電子透かしのＬＳＢが“１”になるのは複製禁止の電子透かしが検出された場合である。従って、複製禁止の電子透かしが検出されたかどうかを判断するには電子透かしのＬＳＢが“１”であるかどうかを調べればよい。
【０１０６】
もし、（ステップ２）で、電子透かしが複製禁止を示していれば、そのコンテンツは複製禁止であるから、電子透かし検出手段１０３は、複製禁止の制御信号を記録手段１０４へ送信する（ステップ７）。記録手段１０４は、圧縮、暗号化を停止し、それまでに圧縮暗号化したコンテンツを削除する。このとき、表示機能のある機器であれば使用者に電子透かしが複製禁止であったため、そのコンテンツを記録できない旨を表示する事も可能である。
【０１０７】
一方、もし、（ステップ２）で複製禁止を示していなかった場合には、電子透かし検出手段１０３は、４５秒以降の任意の位置まで待つ（ステップ３）。そして、電子透かし検出手段１０３は、２回目の電子透かし検出である第２の電子透かし検出を行う（ステップ４）。
【０１０８】
第２の電子透かし検出窓が終了すると、電子透かし検出手段１０３は、電子透かしが複製禁止を示しているかどうかを確認する（ステップ５）。（ステップ５）において複製禁止の電子透かしが検出されたかどうかの判断は、（ステップ２）と同様に、電子透かしのＬＳＢが“１”であるかどうかを調べることによって行う。
【０１０９】
もし、（ステップ５）で電子透かしが複製禁止を示していれば、そのコンテンツは複製禁止であるから、電子透かし検出手段１０３は、複製禁止の制御信号を記録手段１０４へ送信する（ステップ７）。
【０１１０】
もし、（ステップ５）で電子透かしが複製禁止を示していなかった場合には、そのコンテンツには、複製自由、または、一世代複製可の電子透かしが埋め込まれていたか、電子透かしが埋め込まれいないか、のどれかである。したがって、電子透かし検出手段１０３は、複製許可の制御信号を記録手段１０４へ送信する（ステップ８）。記録手段１０４はコンテンツの最後まで圧縮、暗号化を継続する。
【０１１１】
以上のように電子透かしによる複製制御に準拠しながらＳＤＭＩ保護コンテンツを記録する。
【０１１２】
次に、再生について説明する。
【０１１３】
ＳＤオーディオ再生も、記録と同様に、ＳＤＭＩ保護コンテンツと非ＳＤＭＩ保護コンテンツの２つに大別される。なお、ＳＤＭＩ保護コンテンツと非ＳＤＭＩ保護コンテンツについては、従来の技術で説明したものと同様であり、以下にその要点をまとめておく。
【０１１４】
ＳＤＭＩ保護コンテンツは、記録時に既に暗号などで著作権情報が保護されていたか、または、電子透かし検出を行って複製が許可されているコンテンツであるかどうかを確認した上でＣＰＲＭ暗号化されており、ＳＤＭＩ規格に準拠した著作権保護がなされている。したがってＳＤＭＩ保護コンテンツをＳＤオーディオ再生装置で再生する場合には、電子透かし検出することなく、そのまま再生できる。なお、ＳＤＭＩ保護コンテンツを再生する動作は、図１０の保護入力または非保護入力により入力されて、記録されたコンテンツを再生する場合の動作に対応する。
【０１１５】
一方、非ＳＤＭＩ保護コンテンツは、その素性を確認できない。複製制御情報に応じた著作権保護がされているという保証はない。このため、非ＳＤＭＩ保護コンテンツをＳＤオーディオ再生装置で再生する場合には、改めてコンテンツに埋め込まれた電子透かしに含まれる複製制御情報を調べる必要がある。非ＳＤＭＩ保護コンテンツを再生する場合の電子透かし検査は、本来コンテンツの記録時に行われているべきものを、再生時に実施するのであるから、ＳＤ記録の場合と同様に、再生コンテンツの複製制御情報が複製禁止であるかどうかだけを判別すればよく、一世代複製可、複製自由の区別をする必要はない。
【０１１６】
再生時には、図１のコンテンツ切り替え手段１０２は再生コンテンツ出力端子側のコンテンツを選択するよう制御されているものとする。なお、以下に説明する再生時の動作は、図１０において、非暗号コンテンツ入力により入力され、ＳＤメモリカードに記録された非ＳＤＭＩ保護コンテンツが再生され、アナログ出力される場合の動作に対応する。
【０１１７】
再生の場合の手順も、図２に示すコンテンツの電子透かしに基づいて制御信号を送信するための手順と基本的に同様である。
【０１１８】
まず、コンテンツ開始指示あると、開始から１５秒以内に１回目の電子透かしの検出を行うために、電子透かし検出手段１０３により、第１の電子透かし検出窓が開始され、開始から３０秒以内で１回目の電子透かし検出が完了する（ステップ１）。電子透かし検出処理と同時に、再生手段１０５においてＳＤオーディオの暗号復号と伸張処理が行われており、再生コンテンツ出力端子１０６から出力されたコンテンツは直ちにアナログ信号に変換されてユーザに提供される。
【０１１９】
第１の電子透かし検出窓が終了すると、電子透かし検出手段１０３は、電子透かしが複製禁止を示しているかどうかを確認する（ステップ２）。ここで、複製禁止の電子透かしが検出されたかどうかを判断するには、記録時の動作で説明したのと同様に電子透かしのＬＳＢが“１”であるかどうかを調べればよい。
【０１２０】
もし、（ステップ２）で、電子透かしが複製禁止を示していれば、電子透かし検出手段１０３は、そのコンテンツはもともと複製禁止であったものを複製したものと見なし、複製禁止の制御信号を再生手段１０５へ送信する（ステップ７）。再生手段１０５は、復号、伸張を停止し、それにより、コンテンツの再生も停止する。このとき、表示機能のある機器であれば、使用者に電子透かしが複製禁止であったため再生できない旨を表示する事も可能である。
【０１２１】
一方、もし、（ステップ２）で複製禁止を示していなかった場合には、電子透かし検出手段１０３は、４５秒以降の任意の位置まで待つ（ステップ３）。この間は再生が続けられる。そして、電子透かし検出手段１０３は、２回目の電子透かし検出である第２の電子透かし検出を行う（ステップ４）。
【０１２２】
第２の電子透かし検出窓が終了すると、電子透かし検出手段１０３は、電子透かしが複製禁止を示しているかどうかを確認する（ステップ５）。ここで、複製禁止の電子透かしが検出されたかどうかを判断するには、記録時の動作で説明したのと同様に電子透かしのＬＳＢが“１”であるかどうかを調べればよい。
【０１２３】
もし、（ステップ５）で電子透かしが複製禁止を示していれば、そのコンテンツは複製禁止であるから、電子透かし検出手段１０３は、複製禁止の制御信号を再生手段１０５へ送信する（ステップ７）。
【０１２４】
もし、（ステップ５）で電子透かしが複製禁止を示していなかった場合には、そのコンテンツには、複製自由、または、一世代複製可の電子透かしが埋め込まれていたか、電子透かしが埋め込まれいないか、のどれかである。したがって、電子透かし検出手段１０３は、複製許可の制御信号を記録手段１０４へ送信する（ステップ８）。この制御に応じて、再生手段１０５はコンテンツの最後まで再生を継続する。
【０１２５】
以上のようにして電子透かしによる複製制御に準拠しながら非ＳＤＭＩ保護コンテンツを再生する。
【０１２６】
以上のように、本実施の形態の記録装置、再生装置は、複数の状態を示し得る電子透かしを重畳したコンテンツから予め指定された状態の電子透かしを検出するため、全ての状態すなわち全てのコピー制御の仕方の電子透かしを検出する場合に比べて簡単な処理で済み、処理量を削減できる効果を得られる。
【０１２７】
なお、本実施の形態では、ＳＤオーディオのみの機器について述べたが、ＤＶＤとＳＤの商品としては複合機もあり得る。
【０１２８】
図３にこのような複合機２０１の構成を示す。複合機２０１は、ＤＶＤオーディオプレーヤ２０２、ＳＤオーディオ装置２０３、スイッチ２０４、スイッチ２０５、アナログ出力端子２０６、デジタル出力端子２０７、及びデジタル入力端子２０８を備えている。
【０１２９】
ＤＶＤオーディオプレーヤ２０２は、第１の従来の技術で示した図８の光ディスクプレーヤー１７４である。ＳＤオーディオ装置２０３は、本実施の形態おける、図１の記録再生装置である。
【０１３０】
複合機２０１は、ＤＶＤオーディオプレーヤ２０２がＤＶＤオーディオを再生する場合には、第１の従来の技術で説明した動作を行う。ＤＶＤオーディオプレーヤ２０２でＤＶＤオーディオを再生する場合には、スイッチ２０４は、ＤＶＤオーディオプレーヤ２０２とアナログ出力端子２０６とを接続するように切り替えられる。従って、ＤＶＤオーディオプレーヤ２０２でＤＶＤオーディオが再生されると、アナログ出力端子２０６から再生されたＤＶＤオーディオに対応するアナログ信号が出力される。また、デジタル出力端子２０７から再生されたＤＶＤオーディオに対応するデジタル信号が出力される。
【０１３１】
また、ＤＶＤオーディオプレーヤ２０２で再生されたＤＶＤオーディオをＳＤオーディオ装置２０３がＳＤカードメモリに記録する場合には、スイッチ２０５は、ＤＶＤオーディオプレーヤ２０２とＳＤオーディオ装置２０３とを接続するように切り替えられる。このとき再生されたＤＶＤオーディオをユーザが聴く場合には、スイッチ２０４はＤＶＤオーディオプレーヤ２０２とアナログ出力端子２０６とを接続するように切り替えられ、再生されたＤＶＤオーディオに対応するアナログ信号が、アナログ出力端子２０６から出力される。そして、ＤＶＤオーディオプレーヤ２０２で再生されたＤＶＤオーディオをＳＤオーディオ装置２０３がＳＤメモリカードに記録する場合については、後述する。また、デジタル入力端子２０８から入力されるコンテンツをＳＤオーディオ装置２０３がＳＤメモリカードに記録する場合にも、ＳＤオーディオ装置２０３は、本実施の形態の記録再生装置と同様に動作する。
【０１３２】
ＳＤオーディオ装置２０３が、ＳＤメモリカードに記録されたコンテンツを再生する場合には、スイッチ２０４が、ＳＤオーディオ装置２０３とアナログ出力端子２０６とを接続するように切り替えられ、ＳＤオーディオ装置２０３で再生されたコンテンツは、アナログ信号として、アナログ出力端子２０６から出力される。このときＳＤオーディオ装置２０３は、本実施の形態の記録再生装置と同様に動作する。
【０１３３】
なお、本実施の形態の複合機２０１のＤＶＤオーディオプレーヤ２０２は本発明の複合機の再生手段の例であり、本実施の形態の複合機２０１のＳＤオーディオ装置２０３は本発明の複合機の記録手段の例であり、本実施の形態の複合機２０１のＤＶＤオーディオプレーヤ２０２及びＳＤオーディオ装置２０３は本発明の複合機の電子透かし検出手段の例である。
【０１３４】
このような複合機２０１の場合において、ＤＶＤオーディオプレーヤ２０２でＤＶＤを再生する場合には、第１の従来の技術で示したような複製制御情報の全ての状態すなわち全てのコピー制御の仕方の電子透かし検出が要求される。一方、ＳＤオーディオ装置２０３がデジタル入力端子２０８から入力されたコンテンツを記録する場合には本実施の形態で説明したように、複製制御情報のうち複製禁止のみを検出すればよい。従って、このような複合機２０１の場合には、メディアに応じて、予め指定された状態すなわち、予め指定された複製制御の仕方の電子透かしだけを検出するか、または、全ての状態すなわち全ての複製制御の仕方の電子透かしを検出するかを切り替えられるのが便利である。
【０１３５】
ＳＤオーディオ装置２０３がＤＶＤオーディオプレーヤ２０２で再生されたＤＶＤオーディオのコンテンツを内部接続経由で記録する場合には、図１０に示す配信入力に相当する処理が行われる。すなわち、ＤＶＤオーディオコンテンツはＣＰＲＭ暗号によって保護されており、ＤＶＤオーディオに含まれるデジタルＣＣＩは改竄出来ない。従って、記録可否、記録条件などがこれらのデジタルＣＣＩによって決定される。この場合、電子透かしの検出を行う必要はない。
【０１３６】
ＤＶＤオーディオのデジタルＣＣＩには、（１）オーディオコピー可否、（２）オーディオコピー数、（３）オーディオ音質、（４）関連コンテンツコピー可否、（５）従来機器用ＣＣＩ、などが定義されている。（１）のオーディオコピー可否は、（２）のオーディオコピー数と共に用いられて、「自由にコピー可」、「オーディオコピー数で許された回数までコピー可」、「オーディオコピー数で許された回数まで所定の圧縮形式でコピー可」、などを示す。各コンテンツにはＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）と呼ばれる、商用コンテンツ毎に固有の識別コードが付与されており、機器はこのＩＳＲＣとコピー回数とを関連付けて当該コンテンツのコピー回数を計数しなければならない。（３）のオーディオ音質は、コピーのチャンネル数（５．１チャンネルなどの多チャンネル、２チャンネルなど）やサンプリング周波数、ビット長、圧縮オーディオの場合のビットレートなどを規定する。（４）の関連コンテンツコピー可否は、オーディオコンテンツに関連する静止画のコピー可否を示す。（５）の従来機器用ＣＣＩはＭＤ、ＣＤ−Ｒ、ＤＡＴなどに内部接続経由でデジタルコピーする場合の規則を示す。
【０１３７】
ＳＤオーディオ装置２０３がＤＶＤオーディオプレーヤ２０２で再生されたＤＶＤオーディオのコンテンツを内部接続経由で記録する場合には、前記デジタルＣＣＩの（１）オーディオコピー可否、（２）オーディオコピー数、（３）オーディオ音質、などに従ってＳＤＭＩ保護コンテンツとして記録する。
【０１３８】
また、複合機が、ＣＰＰＭ制御方式に準拠したＤＶＤの機能を有するとともに、さらに、ＣＤ−ＤＡ（Ｃｏｍｐａｃｔ  Ｄｉｓｃ  Ｄｉｇｉｔａｌ  Ａｕｄｉｏ）の再生機能を有し、さらにＣＤ−Ｒ、ＭＤ、及びＨＤＤ（ハードディスク）などのいずれか一つ以上の記録機能を有する複合機の場合、ＣＤ−ＤＡ、ＣＤ−Ｒ、ＭＤ及びＨＤＤについてもＣＰＰＭ制御方式で処理されることが決まっている。このような複合機のＣＤ−ＤＡに記録されているコンテンツを再生し、複合機の内部接続経由で、複合機のＣＤ−ＲまたはＭＤまたは複合機に内蔵されているＨＤＤに記録する場合にも、本実施の形態の記録再生装置のメディアをＳＤメモリカードからＣＤ−ＲまたはＭＤまたは複合機に内蔵されているＨＤＤに置きかえることにより、本実施の形態の記録再生装置を適用することが出来、本実施の形態と同等の効果を得ることが出来る。ただし、ＣＤ−Ｒ、ＭＤ、または内蔵ＨＤＤにコンテンツを記録する場合、ＣＰＲＭ暗号記録は行わない。また、これらのメディアから再生する際には、電子透かしによる再生制御も行わない。
【０１３９】
すなわち、ＣＰＰＭ制御方式に準拠したこのような複合機において、ＣＤ−ＤＡに記録されたオーディオコンテンツを再生して内部接続経由で複合機のＣＤ−ＲまたはＭＤまたは複合機に内蔵されているＨＤＤに記録する場合、記録するオーディオコンテンツの電子透かしの検出を行い、電子透かしが検出されたかどうか、また検出した電子透かしのコピー制御情報に応じてオーディオコンテンツを記録するかしないかを決定している。
【０１４０】
従って、ＣＤ−ＤＡに記録されたオーディオコンテンツを入力し、複合機の内部接続経由で、複合機のＣＤ−ＲまたはＭＤまたは複合機に内蔵されているＨＤＤに記録する場合、本実施の形態の記録動作と同様の動作をすることが出来る。図４は、ＣＤ−ＤＡに記録されたオーディオコンテンツを、複合機の内部接続経由で、複合機のＣＤ−ＲまたはＭＤまたは複合機に内蔵されているＨＤＤに記録する場合に、本実施の形態の記録再生装置の記録動作と同様の動作をする複合機２１１の処理の概要を示す図である。
【０１４１】
すなわち、この場合、複合機２１１は、ＣＤ−ＤＡに記録されたオーディオコンテンツをまず再生する。そして、複合機２１１は、再生されたオーディオコンテンツの電子透かしを検出し、図４にＡＷＭ（オーディオウォーターマーク）スクリーニングと記載しているように、オーディオコンテンツに埋め込まれている電子透かしによる判定を行う。すなわち、複合機２１１は、図４にＮｏＭｏｒｅＣｏｐｙ（複製禁止）と記載されているように、その電子透かしが複製禁止を示している場合には、複合機２１１のＣＤ−ＲまたはＭＤまたは複合機２１１に内蔵されているＨＤＤに記録せず、複製禁止を示していない場合または電子透かしが検出できなかった場合には、これらのメディアに再生されたオーディオコンテンツを記録する。
【０１４２】
ここで、再生されたオーディオコンテンツを複合機２１１のＣＤ−ＲまたはＭＤまたは複合機２１１に内蔵されているＨＤＤに記録する場合には、ＣＤ−ＤＡに格納されているＳＣＭＳ情報を記録メディアに反映する。すなわちＳＣＭＳが複製自由の場合はそのまま、ＳＣＭＳが一世代複製可の場合には複製禁止に更新して、ＳＣＭＳを記録メディアに記録する。電子透かしに埋め込まれたコピー制御情報をこれらのメディアに反映する必要がない。従って、複合機２１１がＣＤ−ＤＡに記録されたオーディオコンテンツの電子透かしを検出する場合、本実施の形態の記録再生装置と同様に複製禁止だけを検出すればよく、複製自由と一世代複製可とを区別する必要がない。従って、本実施の形態の記録再生装置のメディアをＳＤメモリカードからＣＤ−ＲまたはＭＤまたは複合機に内蔵されているＨＤＤに置きかえることにより、本実施の形態の記録再生装置をこのような複合機２１１に適用することが出来る。
【０１４３】
また、ＣＰＲＭ制御方式に準拠したＤＶＤレコーダにも本実施の形態の記録再生装置を適用することが出来る。図５に、このようなＤＶＤレコーダ２２１の処理の概要を示す。ＤＶＤレコーダ２２１は、ＤＶＤ−Ｒ、ＤＶＤ−ＲＷ、ＤＶＤ−ＲＡＭなどを対象とし、扱うコンテンツとしては動画と音声とから構成されるビデオなどのＡＶコンテンツである。
【０１４４】
ＤＶＤレコーダ２２１の入力については、保護入力と非保護入力とがある。保護入力は、ＩＥＥＥ１３９４−ＤＴＣＰにより伝送されるコンテンツが入力される場合や、ＤＶＤレコーダ２２１が内蔵しているデジタル放送チューナからＢ−ＣＡＳ方式で保護されたコンテンツを入力する場合である。保護入力されたコンテンツは、図５に送りもとのルールに応じて記録と記載されているように、送りもとのルールに応じて記録される。また、非保護入力は、コンテンツがアナログ信号として入力される場合である。
【０１４５】
また、ＤＶＤレコーダ２２１の出力については、保護デジタル出力とアナログ出力と非保護デジタルオーディオ出力とがある。保護デジタル出力は、ＩＥＥＥ１３９４−ＤＴＣＰやＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）などにより出力である。ここで、ＨＤＣＰとは、ソース機器と表示装置を接続するＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などのコンテンツ保護技術である。また、アナログ出力は、コンテンツをアナログ信号として出力するものであり、再生されたコンテンツのデジタルＣＣＩに従って、ＡＧＣ（Ａｕｔｏｍａｔｉｃ  Ｇａｉｎ  Ｃｏｎｔｒｏｌ）及びＣＧＭＳ−Ａ（Ｃｏｐｙ  Ｇｅｎｅｒａｔｉｏｎ  Ｍａｎａｇｅｍｅｎｔ  Ｓｙｓｔｅｍ）が付加されてコンテンツが出力される。ここで、ＡＧＣとは、マクロビジョン社のアナログビデオ信号のコピー保護技術である。また、ＣＧＭＳ−Ａとは、ビデオなどのＡＶコンテンツのコピー制御機構であり、Ａはアナログであることを示している。すなわち、ＣＧＭＳ−Ａは、ビデオのアナログ信号の垂直帰線期間に付加されている。非保護デジタルオーディオ出力は、ＩＥＣ６０９５８やＩＥＣ６１９３７である。ここで、ＩＥＣ６０９５８、及びＩＥＣ６１９３７は、デジタルオーディオインターフェースであり、ＣＤ、ＭＤなどについている光ケーブルのインターフェース仕様である。ＩＥＣ６０９５８は、リニアＰＣＭを用いるものであり、ＩＥＣ６１９３７はＡＣ３などの圧縮オーディオを用いるものである。
【０１４６】
図５のＤＶＤレコーダ２２１において、非保護入力されたコンテンツをＤＶＤ−Ｒ、ＤＶＤ−ＲＷ、ＤＶＤ−ＲＡＭなどのメディアに記録する場合に、本実施の形態の記録再生装置で、ＳＤカードメモリをＤＶＤ−Ｒ、ＤＶＤ−ＲＷ、ＤＶＤ−ＲＡＭ等のメディアに置きかえ、暗号記録する場合の動作を若干変更することにより、本実施の形態の記録再生装置を適用することが出来る。
【０１４７】
すなわち、ＤＶＤレコーダ２２１で、非保護入力されたコンテンツすなわちアナログ信号として入力されたＡＶコンテンツであるコンテンツをＤＶＤ−Ｒ、ＤＶＤ−ＲＷ、ＤＶＤ−ＲＡＭ等のメディアに記録する際、ＤＶＤレコーダ２２１は、まず、アナログ信号として入力されたコンテンツの電子透かしを検出し、図５にＡＷＭ（オーディオウォーターマーク）スクリーニングと記載されているように、電子透かしを用いた判定を行う。すなわち、電子透かしが検出され、検出された電子透かしが複製禁止を示す場合、ＤＶＤレコーダ２２１は、アナログ信号として入力されたコンテンツを記録しない。そして、電子透かしが検出されなかったか、または電子透かしが検出され、検出された電子透かしが複製禁止以外のものである場合、図５にＡＧＣ、ＣＧＭＳ−Ａに応じて記録と記載されているように、アナログ信号として入力されたコンテンツのＡＧＣ及びＣＧＭＳ−Ａに応じてＤＶＤ−Ｒ、ＤＶＤ−ＲＷ、ＤＶＤ−ＲＡＭ等に記録する。例えばＣＧＭＳ−Ａが一世代複製可（Ｃｏｐｙ  ｏｎｅ  ｇｅｎｅｒａｔｉｏｎ）の場合、ＣＧＭＳ−Ａをこれ以上複製不可（Ｎｏ  ｍｏｒｅ  ｃｏｐｙ）に更新して、アナログ信号として入力されたコンテンツをＣＰＲＭ制御方式の基づいて暗号記録する。また、ＣＧＭＳ−Ａが複製自由（Ｃｏｐｙ  ｆｒｅｅ）の場合、アナログ信号として入力されたコンテンツを非暗号記録する。さらに、電子透かしが検出されなかった場合も非暗号記録する。
【０１４８】
ＤＶＤレコーダ２２１で、電子透かしを検出し、電子透かしが複製禁止か複製禁止かどうかを判定する際に、本実施の形態の記録再生装置と同様の動作を行うことにより、本実施の形態の記録再生装置と同等の効果を得ることが出来る。なお、本実施の形態の記録再生装置は、コンテンツを記録する場合に全てのコンテンツを暗号記録したが、これに対してＤＶＤレコーダ２２１は、電子透かしが検出されたかどうか、またＡＧＣ及びＣＧＭＳ−Ａに応じてコンテンツを暗号記録する点が相違している。
【０１４９】
また、保護入力による入力されたＡＶコンテンツなどのコンテンツは、送りもとのルールに応じて記録される。
【０１５０】
このように、ＤＶＤレコーダ２２１で非保護入力されたコンテンツを記録する際に、本実施の形態の記録再生装置とほぼ同等の動作をさせることが出来る。
【０１５１】
また、本実施の形態では、電子透かしのＬＳＢが“１”かどうかに着目して複製禁止の電子透かしの検出の有無を判断する例を示したが、本発明はこの方法に限定されるものではない。たとえば、電子透かし検出フラグや電子透かしのＭＳＢの処理部分を省略して本発明を実施することも考えられる。この場合にも本発明の処理がそのまま適用できることは言うまでもない。
【０１５２】
また、それぞれの状態の電子透かしを、予め指定された状態（複製禁止）の電子透かしだけを検出するモードか、または、全部の状態の電子透かしを検出するモードかを変えて検出を行った場合の検出状況を図６に示す。
【０１５３】
図６において、検出モードが複製禁止のみとして示されているモードは、埋め込まれた電子透かしがない場合、複製自由の場合、一世代複製可の場合、複製禁止の場合の４つの場合のうち、埋め込まれた電子透かしが複製禁止かそうでないかのみを検出するモードである。これに対して、検出モードが全部として示されているモードは、埋め込まれた電子透かしがない場合、複製自由の場合、一世代複製可の場合、複製禁止の場合の４つの場合のうち、全ての場合を検出するモードである。また、１回目の検出結果は、図１１及び図２で第１の電子透かし検出により埋め込まれた電子透かしが検出された結果を示し、２回目の検出結果は、図１１及び図２で第２の電子透かし検出により埋め込まれた電子透かしが検出された結果を示すものである。
【０１５４】
どちらのモードの場合も、最終的な複製禁止可否は、「複製禁止」の電子透かしが埋め込まれている場合だけ否になり、モードによって変わらない。しかし、「複製自由」と「一世代複製可」の電子透かしが埋め込まれている場合には、複製禁止だけを検出するモードでは２回検出を行って両方とも未検出となるが、全てを検出するモードでは１回目の検出で埋め込まれている電子透かしが検出され、複製可否が確定する。このことに着目すると、ＣＤなどの一般的に電子透かしが埋め込まれている可能性の低いコンテンツの場合には、複製禁止だけを検出するモードにする制御を行うことが効率的である。また、ＤＶＤオーディオをアナログで記録する場合等ではコンテンツに電子透かしが埋め込まれている可能性が高い。このような場合には、全てを検出するモードにするという制御を行うことにより、コンテンツの複製制御情報が一世代複製可や複製自由の場合には、埋め込まれた電子透かしを一回だけ検出するだけでよいので、電子透かしを検出する処理量が少なくて済む。
【０１５５】
また、ＤＶＤオーディオをＳＤ記録で高倍速記録をしたい場合には、複製禁止だけを検出するモードにして電子透かし検出による負荷を低減し、処理速度を早くし、非ＳＤＭＩ保護コンテンツのＳＤ再生の場合には、高倍速記録の場合のように高速処理が要求されないので、全ての電子透かしを検出するモードにして電子透かしの検出回数を減らす、というような制御を行ってもよい。
【０１５６】
また、本実施の形態では、複製制御情報が複製禁止、一世代のみ複製可、複製自由の３種類の複製制御の仕方を示すとして説明したがこれに限らない。複製制御情報が５種類や４種類などの複製制御の仕方を示すものであっても構わない。例えば複製制御情報が複製禁止、一世代のみ複製可、複製自由、これ以上複製禁止の４種類の複製制御の仕方を示すような場合がある。ここで複製禁止、一世代のみ複製可、複製自由は上記で説明したものと同様の意味である。また、これ以上複製禁止は一世代のみ複製可のコンテンツが一度複製された後にその複製が再生された場合に示すコピー制御の仕方であり、これ以上複製することは禁止することを意味している。このようなコピー制御情報を有する非ＳＤＭＩ保護コンテンツをＳＤオーディオ記録する場合には、電子透かしとして複製禁止とこれ以上複製禁止の２種類の複製制御の仕方を検出すればよい。一般に、複製制御情報の複製制御の仕方がｎ（ｎは１以上の整数）種類存在する場合にも、そのような非ＳＤＭＩ保護コンテンツを記録する場合には、ｎ種類の複製制御の仕方から所定の一部の複製制御情報を検出することにより本実施の形態と同様の効果を得ることが出来る。また、非ＳＤＭＩ保護コンテンツの再生する場合も記録する場合と同様である。
【０１５７】
また、本実施の形態では、ＳＤＭＩ制御方式に準拠したＳＤ装置で記録されたＳＤＭＩ保護コンテンツとＳＤＭＩ保護コンテンツ以外のコンテンツである非ＳＤＭＩ保護コンテンツについて記録または再生する場合について説明したが、ＳＤＭＩ制御方式以外の他の制御方式に準拠したコンテンツとその他の制御方式に準拠したコンテンツ以外のコンテンツについて記録または再生する場合についても同様である。
【０１５８】
このように、本実施の形態によれば本発明の記録装置、再生装置は、複数の状態を示し得る電子透かしを重畳したコンテンツから予め指定された状態の電子透かしだけを検出する電子透かし検出手段と、前記電子透かし検出手段の検出結果に応じて前記コンテンツを記録する記録手段、または、再生する再生手段を備え、複数の状態を示し得る電子透かしを重畳したコンテンツから予め指定された状態の電子透かしを検出するため、全ての状態の電子透かしを検出する場合に比べて簡単な処理で済み、処理量を削減できるという効果が得られる。
【０１５９】
尚、本発明のプログラムは、上述した本発明の記録装置の全部又は一部の手段（又は、装置、素子等）の機能をコンピュータにより実行させるためのプログラムであって、コンピュータと協働して動作するプログラムである。
【０１６０】
又、本発明のプログラムは、上述した本発明の再生装置の全部又は一部の手段（又は、装置、素子等）の機能をコンピュータにより実行させるためのプログラムであって、コンピュータと協働して動作するプログラムである。
【０１６１】
又、本発明の記録媒体は、上述した本発明の記録装置の全部又は一部の手段（又は、装置、素子等）の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０１６２】
又、本発明の記録媒体は、上述した本発明の再生装置の全部又は一部の手段（又は、装置、素子等）の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０１６３】
尚、本発明のプログラムまたは記録媒体における上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【０１６４】
又、本発明のプログラムまたは記録媒体における上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【０１６５】
又、本発明のプログラムの一利用形態は、コンピュータにより読み取り可能な記録媒体に記録され、コンピュータと協働して動作する態様であっても良い。
【０１６６】
又、本発明のプログラムの一利用形態は、伝送媒体中を伝送し、コンピュータにより読みとられ、コンピュータと協働して動作する態様であっても良い。
【０１６７】
又、記録媒体としては、ＲＯＭ等が含まれ、伝送媒体としては、インターネット等の伝送媒体、光・電波・音波等が含まれる。
【０１６８】
又、上述した本発明のコンピュータは、ＣＰＵ等の純然たるハードウェアに限らず、ファームウェアや、ＯＳ、更に周辺機器を含むものであっても良い。
【０１６９】
尚、以上説明した様に、本発明の構成は、ソフトウェア的に実現しても良いし、ハードウェア的に実現しても良い。
【産業上の利用可能性】
【０１７０】
本発明にかかる記録装置、記録方法、記録媒体、及びプログラムは、効率のよい電子透かしの検出を行うことが出来るという効果を有し、コンテンツに埋め込まれた電子透かしにしたがってコンテンツの記録制御、または再生制御を行う記録装置、再生装置、複合機、記録方法、再生方法、記録再生方法、プログラム、及び記録媒体等に有用である。
【図面の簡単な説明】
【０１７１】
【図１】本発明の実施の形態における記録再生装置の構成を示すブロック図である。
【図２】本発明の実施の形態における記録再生装置の、コンテンツの電子透かしに基づいて制御信号を送信するための手順を示すフローチャート図である。
【図３】本発明の実施の形態における複合機の構成を示す図である。
【図４】本発明の実施の形態における複合機の処理の概要を示す図である。
【図５】本発明の実施の形態におけるＤＶＤレコーダの処理の概要を示す図である。
【図６】本発明の実施の形態における予め指定された状態の電子透かしだけを検出するモードか、または、全部の状態の電子透かしを検出するモードか変えて検出を行った場合の検出状況を示す図である。
【図７】複製制御管理情報とプレーヤ再生制御との関係を示す図である。
【図８】従来の複製制御方法を使用した光ディスクプレーヤのブロック図である。
【図９】従来の複製制御方法を使用した光ディスクプレーヤ再生時の複製制御フローチャート図である。
【図１０】ＳＤＭＩ制御方式の概要を示す図である。
【図１１】第２の従来技術における電子透かしの検出タイミングを示す図である。
【図１２】第２の従来技術における電子透かしを利用した記録装置のブロック図である。
【図１３】第２の従来技術におけるコンテンツの電子透かしに基づいて制御信号を送信するための手順を示すフローチャート図である。
【符号の説明】
【０１７２】
１０１  記録コンテンツ入力端子
１０２  コンテンツ切り替え手段
１０３  電子透かし検出手段
１０４  記録手段
１０５  再生手段
１０６  再生コンテンツ出力端子
【国際調査報告】
2004064062.tif 000016
2004064062.tif 000017
2004064062.tif 000018
2004064062.tif 000019